(57)【特許請求の範囲】
【請求項１】
ワイヤレス通信の方法であって、
アップリンク制御チャネル送信のためのリソースの割り当てを、基地局からユーザ機器（ＵＥ）によって、受信することと、
前記ＵＥのために構成される１つ以上のキャリア上でクリアチャネル評価（ＣＣＡ）を、前記ＵＥによって実行することと、
前記ＵＥのために構成される前記１つ以上のキャリア上で実行された前記ＣＣＡに少なくとも部分的に基づいてアップリンク制御情報（ＵＣＩ）を、前記ＵＥで、決定することと、
前記１つ以上のキャリアから送信キャリアを、前記ＵＥによって選択することと、ここにおいて、前記選択することは、前記１つ以上のキャリアのうちの１つ以上のクリアキャリア上でクリアＣＣＡを検出することと、所定の基準に基づいて、前記送信キャリアを、前記１つ以上のクリアキャリアから選択することと、を含み、
前記割り当てられたリソースを介して、前記ＵＣＩを前記基地局に、前記ＵＥによって、送信することと、
を備える、方法。
【請求項２】
ＵＣＩのペイロードの総計のサイズは、前記ＵＥのために構成される前記１つ以上のキャリア上で実行された前記ＣＣＡに少なくとも部分的に基づいて決定される、請求項１に記載の方法。
【請求項３】
前記割り当てられたリソースを介して、ＵＣＩを前記送信するための少なくとも１つの制御チャネル形式を決定することをさらに含む、請求項１に記載の方法。
【請求項４】
前記送信することは、
２つ以上の物理リソースブロック（ＰＲＢ）ｓにわたって２つ以上のアップリンク制御チャネルメッセージを並行して送信することを含む、請求項１に記載の方法。
【請求項５】
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
をさらに含む、請求項１に記載の方法。
【請求項６】
アップリンク制御チャネル送信のためのチャネル容量を、前記ＵＥによって、決定することと、ここにおいて、前記決定することは、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を含む、
をさらに含む、請求項１に記載の方法。
【請求項７】
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することをさらに含む、請求項１に記載の方法。
【請求項８】
前記アップリンク制御チャネルの送信のために電力レベルを決定すること、ここにおいて、前記決定することは、前記割り当てられたリソースのサイズ、および前記ＵＣＩのペイロードのサイズに基づき、前記送信することは、前記決定された電力制御にしたがって実行される、
をさらに含む、請求項１に記載の方法。
【請求項９】
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
をさらに含む、請求項１に記載の方法。
【請求項１０】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項９に記載の方法。
【請求項１１】
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
をさらに含む、請求項１に記載の方法。
【請求項１２】
２つ以上のアップリンク制御チャネルメッセージのためのいくつかのコード化ビットに、前記ＵＣＩビットのうちの１つ以上を統合してコード化すること、またはマッピングすることをさらに含む、請求項１に記載の方法。
【請求項１３】
２つ以上のアップリンク制御チャネルメッセージのためのいくつかのコード化ビットに、前記ＵＣＩビットのうちの１つ以上を別々にコード化すること、またはマッピングすることをさらに含む、請求項１に記載の方法。
【請求項１４】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項１に記載の方法。
【請求項１５】
前記１つ以上のＵＣＩビットは、前記ＵＥ上のアップリンクデータバッファのコンテンツと関連付けられる複数のＳＲビットを含む、請求項１４に記載の方法。
【請求項１６】
前記１つ以上のＵＣＩビットは、ＨＡＲＱ肯定応答情報、ＳＲ、およびＣＳＩのうちの１つ以上のための所定の順番にしたがって配置される、請求項１４に記載の方法。
【請求項１７】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、請求項１に記載の方法。
【請求項１８】
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
前記比較に基づいて前記複数の制御チャネル形式から前記制御チャネル形式を選択することと、
をさらに含む、請求項１７に記載の方法。
【請求項１９】
ワイヤレス通信の方法であって、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって検出されたクリアチャネル評価（ＣＣＡ）に基づいて選択され、前記選択することは、前記複数のＣＣｓ上でＣＣＡを実行することと、前記複数のＣＣｓのうちの１つ以上のクリアＣＣｓ上で前記クリアＣＣＡを検出することと、所定の基準に基づいて、前記送信ＣＣを、前記１つ以上のクリアＣＣｓから選択することと、を含み、
前記割り当てられたリソースを介して、前記１つ以上のアップリンク制御チャネルメッセージを、前記基地局に、前記ＵＥによって、送信することと、
を備える、方法。
【請求項２０】
アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定すること、ここにおいて、前記１つ以上のアップリンク制御チャネルメッセージは、前記ＵＣＩのペイロードのＵＣＩビットを含む、
をさらに備える、請求項１９に記載の方法。
【請求項２１】
前記所定の基準は、
無線リソース制御（ＲＲＣ）構成と、
ＣＣインデックスと、
のうちの１つ以上を備える、請求項１９に記載の方法。
【請求項２２】
ワイヤレス通信のために構成される装置であって、
アップリンク制御チャネル送信のためのリソースの割り当てを、基地局からユーザ機器（ＵＥ）によって、受信するための手段と、
前記ＵＥのために構成される１つ以上のキャリア上でクリアチャネル評価（ＣＣＡ）を、前記ＵＥによって実行するための手段と、
前記ＵＥのために構成される前記１つ以上のキャリア上で実行された前記ＣＣＡに少なくとも部分的に基づいてアップリンク制御情報（ＵＣＩ）を、前記ＵＥで、決定するための手段と、
前記１つ以上のキャリアから送信キャリアを、前記ＵＥによって選択するための手段と、ここにおいて、選択するための前記手段は、前記１つ以上のキャリアのうちの１つ以上のクリアキャリア上でクリアＣＣＡを検出するための手段と、所定の基準に基づいて、前記送信キャリアを、前記１つ以上のクリアキャリアから選択するための手段と、を含み、
前記割り当てられたリソースを介して、前記ＵＣＩを前記基地局に、前記ＵＥによって、送信するための手段と、
を備える、装置。
【請求項２３】
ＵＣＩのペイロードの総計のサイズは、前記ＵＥのために構成される前記１つ以上のキャリア上で実行された前記ＣＣＡに少なくとも部分的に基づいて決定される、請求項２２に記載の装置。
【請求項２４】
前記割り当てられたリソースを介した前記ＵＣＩの前記送信のための少なくとも１つの制御チャネル形式を決定するための手段をさらに含む、請求項２２に記載の装置。
【請求項２５】
送信するための前記手段は、
２つ以上の物理リソースブロック（ＰＲＢ）ｓにわたって２つ以上のアップリンク制御チャネルメッセージを並行して送信するための手段を含む、請求項２２に記載の装置。
【請求項２６】
前記少なくとも１つの制御チャネル形式、および前記割り当てられたリソースのサイズに基づいてコード化されるビットの数を決定するための手段と、
前記ＵＣＩビットを、送信のためにコード化されるビットの前記数にコード化するための手段と、
をさらに含む、請求項２２に記載の装置。
【請求項２７】
アップリンク制御チャネル送信のためのチャネル容量を、前記ＵＥによって、決定するための手段と、ここにおいて、決定するための前記手段は、
アップリンク制御チャネル送信のための２つ以上の物理リソースブロック（ＰＲＢｓ）を識別するための手段と、
前記少なくとも１つの制御チャネル形式のためのビット容量を決定するための手段と、ここにおいて、前記チャネル容量は、前記ビット容量によって乗算された前記２つ以上のＰＲＢｓにしたがって決定される、
を含む、
をさらに含む、請求項２２に記載の装置。
【請求項２８】
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化するための手段をさらに含む、請求項２２に記載の装置。
【請求項２９】
前記アップリンク制御チャネルの送信のために電力レベルを決定するための手段、ここにおいて、前記決定することは、前記割り当てられたリソースのサイズ、および前記ＵＣＩのペイロードのサイズに基づき、送信するための前記手段は、前記決定された電力制御にしたがって実行される、
をさらに含む、請求項２２に記載の装置。
【請求項３０】
２つ以上のＰＲＢｓのうちの第１のＰＲＢの中の２つ以上のアップリンク制御チャネルメッセージのうちの第１のものの送信のために、前記ＵＥによって、第１のリソースを識別するための手段と、
前記２つ以上のＰＲＢｓのうちの第２のＰＲＢの中の前記２つ以上のアップリンク制御チャネルメッセージのうちの第２のものの送信のために前記ＵＥによって、第２のリソースを識別するための手段と、ここにおいて、前記第２のリソースは、前記第１のリソースに基づいて決定される、
をさらに含む、請求項２２に記載の装置。
【請求項３１】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項３０に記載の装置。
【請求項３２】
前記ＵＣＩビットの中の１つ以上の衝突ＵＣＩタイプを検出するための手段と、
前記１つ以上の衝突ＵＣＩタイプのうちの１つ以上の、より低いランクのＵＣＩタイプを最大容量まで前記アップリンク制御チャネル送信に多重化するための手段と、ここにおいて、前記最大容量内で多重化されていない前記１つ以上の、より低いランクのＵＣＩタイプのうちの残りのものが、ドロップされる、
をさらに含む、請求項２２に記載の装置。
【請求項３３】
２つ以上のアップリンク制御チャネルメッセージのためのいくつかのコード化ビットに、前記ＵＣＩビットのうちの１つ以上を統合してコード化する、またはマッピングするための手段をさらに含む、請求項２２に記載の装置。
【請求項３４】
２つ以上のアップリンク制御チャネルメッセージのためのいくつかのコード化ビットに、前記ＵＣＩビットのうちの１つ以上を別々にコード化する、またはマッピングするための手段をさらに含む、請求項２２に記載の装置。
【請求項３５】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項２２に記載の装置。
【請求項３６】
前記１つ以上のＵＣＩビットは、前記ＵＥ上のアップリンクデータバッファのコンテンツと関連付けられる複数のＳＲビットを含む、請求項３５に記載の装置。
【請求項３７】
前記１つ以上のＵＣＩビットは、ＨＡＲＱ肯定応答情報、ＳＲ、およびＣＳＩのうちの１つ以上のための所定の順番にしたがって配置される、請求項３５に記載の装置。
【請求項３８】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、請求項２２に記載の装置。
【請求項３９】
前記少なくとも１つの制御チャネル形式は、前記ＵＥによって、動的に選択され、
前記複数の制御チャネル形式の各々のためのしきい値容量を決定するための手段と、
前記ＵＣＩのペイロードのサイズを前記しきい値容量と比較するための手段と、
比較するための前記手段に基づいて前記複数の制御チャネル形式から前記制御チャネル形式を選択するための手段と、
をさらに含む、請求項３８に記載の装置。
【請求項４０】
ワイヤレス通信のために構成される装置であって、
アップリンク制御チャネル送信のためのリソースの割り当てを、基地局からユーザ機器（ＵＥ）によって、受信するための手段と、
少なくとも１つの制御チャネル形式にしたがって１つ以上のアップリンク制御チャネルメッセージを、前記ＵＥによって、生成するための手段と、
複数のコンポーネントキャリア（ＣＣｓ）から、送信ＣＣを、前記ＵＥによって、選択するための手段と、ここにおいて、前記送信ＣＣは、前記ＵＥによって検出されたクリアチャネル評価（ＣＣＡ）に基づいて選択され、選択するための前記手段は、前記複数のＣＣｓ上でＣＣＡを実行するための手段と、前記複数のＣＣｓのうちの１つ以上のクリアＣＣｓ上で前記クリアＣＣＡを検出するための手段と、所定の基準に基づいて、前記送信ＣＣを、前記１つ以上のクリアＣＣｓから選択するための手段と、を含み、
前記割り当てられたリソースを介して、前記１つ以上のアップリンク制御チャネルメッセージを、前記基地局に、前記ＵＥによって、送信するための手段と、
を備える、装置。
【請求項４１】
アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定するための手段、ここにおいて、前記１つ以上のアップリンク制御チャネルメッセージは、前記ＵＣＩのペイロードのＵＣＩビットを含む、
をさらに含む、請求項４０に記載の装置。
【請求項４２】
前記所定の基準は、
無線リソース制御（ＲＲＣ）構成と、
ＣＣインデックスと、
のうちの１つ以上を備える、請求項４０に記載の装置。
【請求項４３】
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、前記ＵＥのために構成される１つ以上のキャリア上でクリアチャネル評価（ＣＣＡ）を、前記ＵＥによって実行させるためのプログラムと、
前記コンピュータに、前記ＵＥのために構成される前記１つ以上のキャリア上で実行された前記ＣＣＡに少なくとも部分的に基づいてアップリンク制御情報（ＵＣＩ）を、前記ＵＥで、決定させるためのプログラムコードと、
前記コンピュータに、前記１つ以上のキャリアから送信キャリアを、前記ＵＥによって選択させるためのプログラムコードと、ここにおいて、前記コンピュータに選択させるための前記プログラムコードは、前記コンピュータに、前記１つ以上のキャリアのうちの１つ以上のクリアキャリア上でクリアＣＣＡを検出させるためのプログラムコードと、前記コンピュータに、所定の基準に基づいて、前記送信キャリアを、前記１つ以上のクリアキャリアから選択させるためのプログラムコードと、を含み、
前記コンピュータに、前記割り当てられたリソースを介して、前記ＵＣＩを前記基地局に、前記ＵＥによって、送信させるためのプログラムコードと、
を備える、非一時的なコンピュータ可読媒体。
【請求項４４】
ＵＣＩのペイロードの総計のサイズは、前記ＵＥのために構成される前記１つ以上のキャリア上で実行された前記ＣＣＡに少なくとも部分的に基づいて決定される、請求項４３に記載の非一時的なコンピュータ可読媒体。
【請求項４５】
前記コンピュータに、前記割り当てられたリソースを介した前記ＵＣＩの前記送信のための少なくとも１つの制御チャネル形式を決定させるためのプログラムコードをさらに含む、請求項４３に記載の非一時的なコンピュータ可読媒体。
【請求項４６】
前記コンピュータに送信させるための前記プログラムコードは、
前記コンピュータに、２つ以上の物理リソースブロック（ＰＲＢ）ｓにわたって２つ以上のアップリンク制御チャネルメッセージを並行して送信させるためのプログラムコード  を含む、請求項４３に記載の非一時的なコンピュータ可読媒体。
【請求項４７】
前記コンピュータに、前記少なくとも１つの制御チャネル形式、および前記割り当てられたリソースのサイズに基づいてコード化されるビットの数を決定させるためのプログラムコードと、
前記コンピュータに、前記ＵＣＩビットを、送信のためにコード化されるビットの前記数にコード化させるためのプログラムコードと、
をさらに含む、請求項４３に記載の非一時的なコンピュータ可読媒体。
【請求項４８】
前記コンピュータに、アップリンク制御チャネル送信のためのチャネル容量を、前記ＵＥによって、決定させるためのプログラムコードと、ここにおいて、前記コンピュータに決定させるための前記プログラムコードは、
前記コンピュータに、アップリンク制御チャネル送信のための２つ以上の物理リソースブロック（ＰＲＢｓ）を識別させるためのプログラムコードと、
前記コンピュータに、前記少なくとも１つの制御チャネル形式のためのビット容量を決定させるためのプログラムコードと、ここにおいて、前記チャネル容量は、前記ビット容量によって乗算された前記２つ以上のＰＲＢｓにしたがって決定される、
を含む、
をさらに含む、請求項４３に記載の非一時的なコンピュータ可読媒体。
【請求項４９】
前記コンピュータに、２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化させるためのプログラムコードをさらに含む、請求項４３に記載の非一時的なコンピュータ可読媒体。
【請求項５０】
前記コンピュータに、前記アップリンク制御チャネルの送信のために電力レベルを決定させるためのプログラムコード、ここにおいて、前記コンピュータに決定させるための前記プログラムコードは、前記割り当てられたリソースのサイズ、および前記ＵＣＩのペイロードのサイズに基づき、前記コンピュータに送信させるための前記プログラムコードは、前記決定された電力制御にしたがって実行される、
をさらに含む、請求項４３に記載の非一時的なコンピュータ可読媒体。
【請求項５１】
前記コンピュータに、２つ以上のＰＲＢｓのうちの第１のＰＲＢの中の２つ以上のアップリンク制御チャネルメッセージのうちの第１のものの送信のために、前記ＵＥによって、第１のリソースを識別させるためのプログラムコードと、
前記コンピュータに、前記２つ以上のＰＲＢｓのうちの第２のＰＲＢの中の前記２つ以上のアップリンク制御チャネルメッセージのうちの第２のものの送信のために前記ＵＥによって、第２のリソースを識別させるためのプログラムコードと、ここにおいて、前記第２のリソースは、前記第１のリソースに基づいて決定される、
をさらに含む、請求項４３に記載の非一時的なコンピュータ可読媒体。
【請求項５２】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項５１に記載の非一時的なコンピュータ可読媒体。
【請求項５３】
前記コンピュータに、前記ＵＣＩビットの中の１つ以上の衝突ＵＣＩタイプを検出させるためのプログラムコードと、
前記コンピュータに、前記１つ以上の衝突ＵＣＩタイプのうちの１つ以上の、より低いランクのＵＣＩタイプを最大容量まで前記アップリンク制御チャネル送信に多重化させるためのプログラムコードと、ここにおいて、前記最大容量内で多重化されていない前記１つ以上の、より低いランクのＵＣＩタイプのうちの残りのものが、ドロップされる、
をさらに含む、請求項４３に記載の非一時的なコンピュータ可読媒体。
【請求項５４】
前記コンピュータに、２つ以上のアップリンク制御チャネルメッセージのためのいくつかのコード化ビットに、前記ＵＣＩビットのうちの１つ以上を統合してコード化させる、またはマッピングさせるためのプログラムコードをさらに含む、請求項４３に記載の非一時的なコンピュータ可読媒体。
【請求項５５】
前記コンピュータに、２つ以上のアップリンク制御チャネルメッセージのためのいくつかのコード化ビットに、前記ＵＣＩビットのうちの１つ以上を別々にコード化させる、またはマッピングさせるためのプログラムコードをさらに含む、請求項４３に記載の非一時的なコンピュータ可読媒体。
【請求項５６】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項４３に記載の非一時的なコンピュータ可読媒体。
【請求項５７】
前記１つ以上のＵＣＩビットは、前記ＵＥ上のアップリンクデータバッファのコンテンツと関連付けられる複数のＳＲビットを含む、請求項５６に記載の非一時的なコンピュータ可読媒体。
【請求項５８】
前記１つ以上のＵＣＩビットは、ＨＡＲＱ肯定応答情報、ＳＲ、およびＣＳＩのうちの１つ以上のための所定の順番にしたがって配置される、請求項５６に記載の非一時的なコンピュータ可読媒体。
【請求項５９】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、請求項４３に記載の非一時的なコンピュータ可読媒体。
【請求項６０】
前記少なくとも１つの制御チャネル形式は、前記ＵＥによって、動的に選択され、
前記コンピュータに、前記複数の制御チャネル形式の各々のためのしきい値容量を決定させるためのプログラムコードと、
前記コンピュータに、前記ＵＣＩのペイロードのサイズを前記しきい値容量と比較させるためのプログラムコードと、
前記コンピュータに比較させるための前記プログラムコードの結果に基づいて、前記コンピュータに、前記複数の制御チャネル形式から前記制御チャネル形式を選択させるためのプログラムコードと、
をさらに含む、請求項５９に記載の非一時的なコンピュータ可読媒体。
【請求項６１】
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、少なくとも１つの制御チャネル形式にしたがって１つ以上のアップリンク制御チャネルメッセージを、前記ＵＥによって、生成させるためのプログラムコードと、
前記コンピュータに、複数のコンポーネントキャリア（ＣＣｓ）から、送信ＣＣを、前記ＵＥによって、選択させるためのプログラムコードと、ここにおいて、前記送信ＣＣは、前記ＵＥによって検出されたクリアチャネル評価（ＣＣＡ）に基づいて選択され、前記コンピュータに選択させるための前記プログラムコードは、前記コンピュータに、前記複数のＣＣｓ上でＣＣＡを実行させるためのプログラムコードと、前記コンピュータに、前記複数のＣＣｓのうちの１つ以上のクリアＣＣｓ上で前記クリアＣＣＡを検出させるためのプログラムコードと、前記コンピュータに、所定の基準に基づいて、前記送信ＣＣを、前記１つ以上のクリアＣＣｓから選択させるためのプログラムコードと、を含み、
前記コンピュータに、前記割り当てられたリソースを介して、前記１つ以上のアップリンク制御チャネルメッセージを、前記基地局に、前記ＵＥによって、送信させるためのプログラムコードと、
を備える、非一時的なコンピュータ可読媒体。
【請求項６２】
前記コンピュータに、アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定させるためのプログラムコード、ここにおいて、前記１つ以上のアップリンク制御チャネルメッセージは、前記ＵＣＩのペイロードのＵＣＩビットを含む、
をさらに含む、請求項６１に記載の非一時的なコンピュータ可読媒体。
【請求項６３】
前記所定の基準は、
無線リソース制御（ＲＲＣ）構成と、
ＣＣインデックスと、
のうちの１つ以上を備える、請求項６１に記載の非一時的なコンピュータ可読媒体。
【請求項６４】
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
前記ＵＥのために構成される１つ以上のキャリア上でクリアチャネル評価（ＣＣＡ）を、前記ＵＥによって実行することと、
前記ＵＥのために構成される前記１つ以上のキャリア上で実行された前記ＣＣＡに少なくとも部分的に基づいてアップリンク制御情報（ＵＣＩ）を、前記ＵＥで、決定することと、
前記１つ以上のキャリアから送信キャリアを、前記ＵＥによって選択することと、ここにおいて、選択するための前記少なくとも１つのプロセッサの前記構成は、前記１つ以上のキャリアのうちの１つ以上のクリアキャリア上でクリアＣＣＡを検出することと、所定の基準に基づいて、前記送信キャリアを、前記１つ以上のクリアキャリアから選択することと、を行うための前記少なくとも１つのプロセッサの構成、
前記割り当てられたリソースを介して、前記ＵＣＩを前記基地局に、前記ＵＥによって、送信することと、
を行うように構成され、
を備える、装置。
【請求項６５】
ＵＣＩのペイロードの総計のサイズは、前記ＵＥのために構成される前記１つ以上のキャリア上で実行された前記ＣＣＡに少なくとも部分的に基づいて決定される、請求項６４に記載の装置。
【請求項６６】
前記割り当てられたリソースを介した前記ＵＣＩの前記送信のための少なくとも１つの制御チャネル形式を決定するための前記少なくとも１つのプロセッサの構成をさらに含む、請求項６４に記載の装置。
【請求項６７】
送信するための前記少なくとも１つのプロセッサの前記構成は、２つ以上の物理リソースブロック（ＰＲＢ）ｓにわたって２つ以上のアップリンク制御チャネルメッセージを並行して送信するための構成を含む、請求項６４に記載の装置。
【請求項６８】
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
を行うための前記少なくとも１つのプロセッサの構成をさらに含む、請求項６４に記載の装置。
【請求項６９】
アップリンク制御チャネル送信のためのチャネル容量を、前記ＵＥによって、決定すること、ここにおいて、決定するための前記少なくとも１つのプロセッサの前記構成は、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を行うための前記少なくとも１つのプロセッサの構成を含む、
を行うための前記少なくとも１つのプロセッサの構成をさらに含む、請求項６４に記載の装置。
【請求項７０】
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することを行うための前記少なくとも１つのプロセッサの構成をさらに含む、請求項６４に記載の装置。
【請求項７１】
前記アップリンク制御チャネルの送信のために電力レベルを決定することを行うための前記少なくとも１つのプロセッサの構成、ここにおいて、決定することを行うための前記少なくとも１つのプロセッサの前記構成は、前記割り当てられたリソースのサイズ、および前記ＵＣＩのペイロードのサイズに基づき、送信することを行うための前記少なくとも１つのプロセッサの前記構成は、前記決定された電力制御にしたがって実行される、をさらに含む、請求項６４に記載の装置。
【請求項７２】
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
を行うための前記少なくとも１つのプロセッサの構成をさらに含む、請求項６４に記載の装置。
【請求項７３】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項７２に記載の装置。
【請求項７４】
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
を行うための前記少なくとも１つのプロセッサの構成をさらに含む、請求項６４に記載の装置。
【請求項７５】
２つ以上のアップリンク制御チャネルメッセージのためのいくつかのコード化ビットに、前記ＵＣＩビットのうちの１つ以上を統合してコード化する、またはマッピングすることを行うための前記少なくとも１つのプロセッサの構成をさらに含む、請求項６４に記載の装置。
【請求項７６】
２つ以上のアップリンク制御チャネルメッセージのためのいくつかのコード化ビットに、前記ＵＣＩビットのうちの１つ以上を別々にコード化する、またはマッピングすることを行うための前記少なくとも１つのプロセッサの構成をさらに含む、請求項６４に記載の装置。
【請求項７７】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項６４に記載の装置。
【請求項７８】
前記１つ以上のＵＣＩビットは、前記ＵＥ上のアップリンクデータバッファのコンテンツと関連付けられる複数のＳＲビットを含む、請求項７７に記載の装置。
【請求項７９】
前記１つ以上のＵＣＩビットは、ＨＡＲＱ肯定応答情報、ＳＲ、およびＣＳＩのうちの１つ以上のための所定の順番にしたがって配置される、請求項７７に記載の装置。
【請求項８０】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、請求項６４に記載の装置。
【請求項８１】
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
比較することを行うための前記少なくとも１つのプロセッサの前記構成の結果に基づいて前記複数の制御チャネル形式から前記制御チャネル形式を選択することと、
を行うための前記少なくとも１つのプロセッサの構成をさらに含む、請求項８０に記載の装置。
【請求項８２】
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって検出されたクリアチャネル評価（ＣＣＡ）に基づいて選択され、選択するための前記少なくとも１つのプロセッサの前記構成は、前記複数のＣＣｓ上でＣＣＡを実行することと、前記複数のＣＣｓのうちの１つ以上のクリアＣＣｓ上で前記クリアＣＣＡを検出することと、所定の基準に基づいて、前記送信ＣＣを、前記１つ以上のクリアＣＣｓから選択することと、を行うための前記少なくとも１つのプロセッサの構成を含み、
前記割り当てられたリソースを介して、前記１つ以上のアップリンク制御チャネルメッセージを、前記基地局に、前記ＵＥによって、送信することと、
を行うように構成され、
を備える、装置。
【請求項８３】
アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定することを行うための前記少なくとも１つのプロセッサの構成、ここにおいて、前記１つ以上のアップリンク制御チャネルメッセージは、前記ＵＣＩのペイロードのＵＣＩビットを含む、をさらに含む、請求項８２に記載の装置。
【請求項８４】
前記所定の基準は、
無線リソース制御（ＲＲＣ）構成と、
ＣＣインデックスと、
のうちの１つ以上を備える、請求項８３に記載の装置。
【発明の詳細な説明】
【関連出願の相互参照】
【０００１】
[0001]  本出願は、２０１３年１０月１日に出願された、「ＰＨＹＳＩＣＡＬ  ＵＰＬＩＮＫ  ＣＯＮＴＲＯＬ  ＭＡＮＡＧＥＭＥＮＴ  ＩＮ  ＬＴＥ−Ｕ  ＳＹＳＴＥＭＳ」と題する米国仮特許出願第６１／８８５，３４８号、および２０１４年９月２２日に出願された、「ＰＨＹＳＩＣＡＬ  ＵＰＬＩＮＫ  ＣＯＮＴＲＯＬ  ＭＡＮＡＧＥＭＥＮＴ  ＩＮ  ＬＴＥ／ＬＴＥ−Ａ  ＳＹＳＴＥＭＳ  ＷＩＴＨ  ＵＮＬＩＣＥＮＳＥＤ  ＳＰＥＣＴＲＵＭ」と題する米国ユーティリティ特許出願（U．S． Utility Patent Application）第１４／４９２，４３７号の利益を主張し、それらは、その全体が参照により本明細書に明確に組み込まれる。
【背景技術】
【０００２】
技術分野
[0002]  本開示の態様は一般的に、ワイヤレス通信システムに関し、より具体的には、アンライセンスドスペクトルを持つロングタームエボリューション（ＬＴＥ）／ＬＴＥアドバンスト（ＬＴＥ−Ａ）通信システムにおける物理アップリンク制御管理（physical uplink control management in long term evolution (LTE)/LTE-Advanced (LTE-A) communication systems with unlicensed spectrum）に関する。
【０００３】
背景技術
[0003]  ワイヤレス通信ネットワークは、例えば音声、ビデオ、パケットデータ、メッセージング、ブロードキャスト等の様々な通信サービスを提供するために広く展開されている。これらのワイヤレスネットワークは、利用可能なネットワークリソースを共有することによって複数のユーザをサポートする能力がある多元接続ネットワークであり得る。通常は多元接続ネットワークである、そのようなネットワークは、利用可能なネットワークリソースを共有することによって複数のユーザのための通信をサポートする。そのようなネットワークの１つの例は、ユニバーサル地上無線アクセスネットワーク（Universal Terrestrial Radio Access Network）（ＵＴＲＡＮ）である。ＵＴＲＡＮは、第３世代パートナーシッププロジェクト（３ＧＰＰ（登録商標））によってサポートされている第３世代（３Ｇ）モバイル電話技術である、ユニバーサルモバイル電気通信システム（Universal Mobile Telecommunications System）（ＵＭＴＳ）の一部として定義された無線アクセスネットワーク（ＲＡＮ）である。多元接続ネットワーク形式の例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]  ワイヤレス通信ネットワークは、いくつかのユーザ機器（ＵＥｓ）のための通信をサポートすることができるいくつかの基地局またはノードＢｓを含み得る。ＵＥは、ダウンリンクおよびアップリンクを介して基地局と通信し得る。ダウンリンク（または順方向リンク）は、基地局からＵＥへの通信リンクを指し、アップリンク（または逆方向リンク）は、ＵＥから基地局への通信リンクを指す。
【０００５】
[0005]  基地局は、ＵＥにダウンリンク上でデータおよび制御情報を送信することができ、および／またはＵＥからアップリンク上でデータおよび制御情報を受信し得る。ダウンリンク上で、基地局からの送信は、隣接の基地局からの、または他のワイヤレス無線周波数（ＲＦ）送信機からの送信による干渉に遭遇し得る。アップリンク上で、ＵＥからの送信は、隣接の基地局と通信する他のＵＥｓのアップリンク送信からの、または他のワイヤレスＲＦ送信機からの干渉に遭遇し得る。この干渉は、ダウンリンクおよびアップリンクの両方でパフォーマンスを低下させ得る。
【０００６】
[0006]  モバイルブロードバンドアクセス（mobile broadband access）に対する需要が増加し続けるにつれて、干渉および輻輳ネットワーク（congested networks）の可能性は、より多くのＵＥｓが長距離ワイヤレス通信ネットワークにアクセスし、より多くの短距離ワイヤレスシステムがコミュニティにおいて展開されるとともに増大する。研究および発展が、モバイルブロードバンドアクセスに対する増大する需要を満たすためだけでなく、モバイル通信のユーザエクスペリエンス（user experience）を促進し、増進するためにもＵＭＴＳ技術を促進し（advance）続けている。
【発明の概要】
【０００７】
[0007]  本開示の１つの態様では、ワイヤレス通信の方法は、アップリンク制御チャネル送信のためのリソースの割り当てを、基地局からＵＥによって、受信することと、ＵＥのために構成される１つ以上のキャリアと関連付けられたクリアチャネル評価（clear channel assessment）（ＣＣＡ）情報に、少なくとも部分的に、基づいてアップリンク制御情報（ＵＣＩ）を、ＵＥで、決定することと、割り当てられたリソースを介して基地局にＵＣＩを、ＵＥによって、送信することと、を含む。
【０００８】
[0008]  本開示のさらなる態様では、ワイヤレス通信の方法は、アップリンク制御チャネル送信のためのリソースの割り当てを、基地局からＵＥによって、受信することと、少なくとも１つの制御チャネル形式にしたがって１つ以上のアップリンク制御チャネルメッセージを、ＵＥによって、生成することと、複数のコンポーネントキャリア（ＣＣｓ）から、送信ＣＣを、ＵＥによって、選択することと、ここにおいて、送信ＣＣは、ＵＥによって検出されたクリアＣＣＡに基づいて選択され、割り当てられたリソースを介して、１つ以上のアップリンク制御チャネルメッセージを、基地局に、ＵＥによって、送信することと、を含む。
【０００９】
[0009]  本開示のさらなる態様では、ワイヤレス通信の方法は、基地局によってサーブされる各ＵＥのために構成される複数のＣＣｓのうちの１つ以上のクリアアップリンクＣＣｓを、基地局によって、識別することと、各ＵＥが、アップリンク制御チャネルメッセージを送信することとなる１つ以上のクリアアップリンクＣＣｓのアップリンク制御ＣＣを決定することと、各ＵＥからのアップリンク制御チャネルメッセージのためにアップリンク制御ＣＣをモニタリングすることと、を含む。
【００１０】
[0010]  本開示のさらなる態様では、ワイヤレス通信のために構成される装置は、アップリンク制御チャネル送信のためのリソースの割り当てを、基地局からＵＥによって、受信するための手段と、ＵＥのために構成される１つ以上のキャリアと関連付けられたＣＣＡ情報に、少なくとも部分的に、基づいてＵＣＩを、ＵＥで、決定するための手段と、割り当てられたリソースを介して、ＵＣＩを基地局に、ＵＥによって、送信するための手段と、を含む。
【００１１】
[0011]  本開示のさらなる態様では、ワイヤレス通信のために構成される装置は、アップリンク制御チャネル送信のためのリソースの割り当てを、基地局からＵＥによって、受信するための手段と、少なくとも１つの制御チャネル形式にしたがって１つ以上のアップリンク制御チャネルメッセージを、ＵＥによって、生成するための手段と、複数のＣＣｓから、送信ＣＣを、ＵＥによって、選択するための手段と、ここにおいて、送信ＣＣは、ＵＥによって、検出されたクリアＣＣＡに基づいて選択され、割り当てられたリソースを介して、１つ以上のアップリンク制御チャネルメッセージを、基地局に、ＵＥによって、送信するための手段と、を含む。
【００１２】
[0012]  本開示のさらなる態様では、ワイヤレス通信のために構成される装置は、基地局によってサーブされる各ＵＥのために構成される複数のＣＣｓのうちの１つ以上のクリアアップリンクＣＣｓを、基地局によって、識別するための手段と、各ＵＥが、アップリンク制御チャネルメッセージを送信することとなる１つ以上のクリアアップリンクＣＣｓのアップリンク制御ＣＣを決定するための手段と、各ＵＥからのアップリンク制御チャネルメッセージのためにアップリンク制御ＣＣをモニタリングするための手段と、を含む。
【００１３】
[0013]  本開示のさらなる態様では、非一時的なコンピュータ可読媒体は、プログラムコードを記録する。このプログラムコードは、アップリンク制御チャネル送信のためのリソースの割り当てを、基地局からＵＥによって、受信するためのコードと、ＵＥのために構成される１つ以上のキャリアと関連付けられたＣＣＡ情報に、少なくとも部分的に、基づいてＵＣＩを、ＵＥで、決定するためのコードと、割り当てられたリソースを介して、ＵＣＩを基地局に、ＵＥによって、送信するためのコードと、を含む。
【００１４】
[0014]  本開示のさらなる態様では、非一時的なコンピュータ可読媒体は、プログラムコードを記録する。このプログラムコードは、アップリンク制御チャネル送信のためのリソースの割り当てを、基地局からＵＥによって、受信するためのコードと、少なくとも１つの制御チャネル形式にしたがって１つ以上のアップリンク制御チャネルメッセージを、ＵＥによって、生成するためのコードと、複数のＣＣｓから、送信ＣＣを、ＵＥによって、選択するためのコードと、ここにおいて、送信ＣＣは、ＵＥによって検出されたクリアＣＣＡに基づいて選択され、割り当てられたリソースを介して、１つ以上のアップリンク制御チャネルメッセージを、基地局に、ＵＥによって、送信するためのコードと、を含む。
【００１５】
[0015]  本開示のさらなる態様では、非一時的なコンピュータ可読媒体は、プログラムコードを記録する。このプログラムコードは、基地局によってサーブされる各ＵＥのために構成される複数のＣＣｓのうちの１つ以上のクリアアップリンクＣＣｓを、基地局によって、識別するためのコードと、各ＵＥが、アップリンク制御チャネルメッセージを送信することとなる１つ以上のクリアアップリンクＣＣｓのアップリンク制御ＣＣを決定するためのコードと、各ＵＥからのアップリンク制御チャネルメッセージのためにアップリンク制御ＣＣをモニタリングするためのコードと、を含む。
【００１６】
[0016]  本開示のさらなる態様では、装置は、少なくとも１つのプロセッサと、プロセッサに結合されたメモリとを含む。プロセッサは、アップリンク制御チャネル送信のためのリソースの割り当てを、基地局からＵＥによって、受信することと、ＵＥのために構成される１つ以上のキャリアと関連付けられたＣＣＡ情報に、少なくとも部分的に、基づいてＵＣＩを、ＵＥで、決定するためのコードと、割り当てられたリソースを介して、ＵＣＩを基地局に、ＵＥによって、送信するためのコードと、を行うように構成される。
【００１７】
[0017]  本開示のさらなる態様では、装置は、少なくとも１つのプロセッサと、プロセッサに結合されたメモリとを含む。プロセッサは、アップリンク制御チャネル送信のためのリソースの割り当てを、基地局からＵＥによって、受信することと、少なくとも１つの制御チャネル形式にしたがって１つ以上のアップリンク制御チャネルメッセージを、ＵＥによって、生成することと、複数のＣＣｓから、送信ＣＣを、ＵＥによって、選択することと、ここにおいて、送信ＣＣは、ＵＥによって検出されたクリアＣＣＡに基づいて選択され、割り当てられたリソースを介して、１つ以上のアップリンク制御チャネルメッセージを、基地局に、ＵＥによって、送信することと、を行うように構成される。
【００１８】
[0018]  本開示のさらなる態様では、装置は、少なくとも１つのプロセッサと、プロセッサに結合されたメモリとを含む。プロセッサは、基地局によってサーブされる各ＵＥのために構成される複数のＣＣｓのうちの１つ以上のクリアアップリンクＣＣｓを、基地局によって、識別することと、各ＵＥが、アップリンク制御チャネルメッセージを送信することとなる１つ以上のクリアアップリンクＣＣｓのアップリンク制御ＣＣを決定することと、各ＵＥからのアップリンク制御チャネルメッセージのためにアップリンク制御ＣＣをモニタリングすることと、を行うように構成される。
【図面の簡単な説明】
【００１９】
【図１】[0019]  図１は、様々な実施形態にしたがうワイヤレス通信システムの例を例示する図を示す。
【図２Ａ】[0020]  図２Ａは、様々な実施形態にしたがうアンライセンスドスペクトルにおいてＬＴＥを使用するための展開シナリオ（deployment scenarios）の例を例示する図を示す。
【図２Ｂ】[0021]  図２Ｂは、様々な実施形態にしたがうアンライセンスドスペクトルにおいてＬＴＥを使用するための展開シナリオの別の例を例示する図を示す。
【図３】[0022]  図３は、様々な実施形態にしたがうライセンスド、およびアンライセンスドスペクトルにおいて一斉に（concurrently）ＬＴＥを使用するときのキャリアアグリゲーションの例を例示する図を示す。
【図４】[0023]  図４は、本開示の１つの態様にしたがって構成される基地局／ｅＮＢおよびＵＥの設計を概念的に例示するブロック図である。
【図５】[0024]  図５は、マルチクラスタＳＣ−ＦＤＭＡ送信のために構成されるアップリンク送信ストリームを例示するブロック図である。
【図６】[0025]  図６は、本開示の１つの態様をインプリメントするために実行される例示的なブロックを例示する機能ブロック図である。
【図７Ａ】[0026]  図７Ａは、本開示の態様のために構成される例示的な送信設計を例示するブロック図である。
【図７Ｂ】[0026]  図７Ｂは、本開示の態様のために構成される例示的な送信設計を例示するブロック図である。
【図８Ａ】[0027]  図８Ａは、本開示の１つの態様にしたがって構成される符号化方式（encoding scheme）を例示するブロック図である。
【図８Ｂ】[0027]  図８Ｂは、本開示の１つの態様にしたがって構成される符号化方式を例示するブロック図である。
【図９Ａ】[0028]  図９Ａは、本開示の１つの態様をインプリメントするために実行される例示的なブロックを例示する機能ブロック図である。
【図９Ｂ】[0028]  図９Ｂは、本開示の１つの態様をインプリメントするために実行される例示的なブロックを例示する機能ブロック図である。
【図１０】[0029]  図１０は、本開示の１つの態様にしたがって構成されるＵＥのために構成される、３個のＣＣｓ、ＣＣ０−ＣＣ１、を例示するブロック図である。
【発明を実施するための形態】
【００２０】
[0030]  添付の図面に関連して、以下に記述する発明を実施するための形態は、様々な構成の説明として意図され、本開示の範囲を限定することを意図していない。むしろ、発明を実施するための形態は、発明の主題事項の完全な理解を提供する目的で特定の詳細を含む。これらの特定の詳細があらゆるケースで必要とされるわけではないこと、および、いくつかの事例では、周知の構造およびコンポーネントが提示の明確さのためにブロック図の形で示されることは、当業者に明らかであろう。
【００２１】
[0031]  オペレータはこれまで、セルラネットワークの中でこれまでに増え続けている輻輳のレベルを軽減するためにアンライセンスドスペクトルを使用するための主要なメカニズムとしてＷｉＦｉを見てきた。しかしながら、アンライセンスドスペクトルにおけるＬＴＥ／ＬＴＥ−Ａに基づくニューキャリアタイプ（new carrier type）（ＮＣＴ）は、キャリアグレードＷｉＦｉと互換性を有することができ、アンライセンスドスペクトルを持つＬＴＥ／ＬＴＥ−ＡをＷｉＦｉの代替とする。アンライセンスドスペクトルを持つＬＴＥ／ＬＴＥ−Ａは、ＬＴＥの概念を活用することができ、アンライセンスドスペクトルにおいて効率的なオペレーションを提供するために、および規制要件（regulatory）を満足するためにネットワークまたはネットワークデバイスの物理層（ＰＨＹ）およびメディアアクセス制御（ＭＡＣ）の態様へのいくつかの修正を導入し得る。アンライセンスドスペクトルは、例えば、６００メガヘルツ（ＭＨｚ）から６ギガヘルツ（ＧＨｚ）におよび得る。いくつかのシナリオでは、アンライセンスドスペクトルを持つＬＴＥ／ＬＴＥ−Ａは、ＷｉＦｉより著しく良く機能し（perform）得る。例えば、オールＷｉＦｉ展開（all WiFi deployment）と比較して（単一の、または複数のオペレータのための）アンライセンスドスペクトルを持つオールＬＴＥ／ＬＴＥ−Ａ展開（all LTE/LTE-A deployment）、すなわち高密度の小さいセル展開が存在するとき、アンライセンスドスペクトルを持つＬＴＥ／ＬＴＥ−Ａは、ＷｉＦｉより著しく良く機能し得る。例えば、アンライセンスドスペクトルを持つＬＴＥ／ＬＴＥ−Ａが、（単一の、または複数のオペレータのために）ＷｉＦｉと混合されるとき等、他のシナリオでは、アンライセンスドスペクトルを持つＬＴＥ／ＬＴＥ−Ａは、ＷｉＦｉより良く機能し得る。
【００２２】
[0032]  単一のサービスプロバイダ（ＳＰ）のために、アンライセンスドスペクトル上のＬＴＥ／ＬＴＥ−Ａネットワークは、ライセンスドスペクトル上のＬＴＥネットワークと同期するように構成され得る。しかしながら、複数のＳＰｓによる所与のチャネル上で展開されるアンライセンスドスペクトルを持つＬＴＥ／ＬＴＥ−Ａネットワークは、複数のＳＰｓにわたって同期するように構成され得る。上記の特徴の両方を組み込むための１つのアプローチは、所与のＳＰのためのアンライセンスドスペクトルを持つＬＴＥ／ＬＴＥ−Ａ、およびアンライセンスドスペクトルを持たないＬＴＥ／ＬＴＥ−Ａ間の一定のタイミングオフセットを使用することを含み得る。アンライセンスドスペクトルを持つＬＴＥ／ＬＴＥ−Ａネットワークは、ＳＰのニーズにしたがってユニキャストおよび／またはマルチキャストサービスを提供し得る。さらに、アンライセンスドスペクトルを持つＬＴＥ／ＬＴＥ−Ａネットワークは、ＬＴＥセルがアンカーの機能を果たし、関連するアンライセンスドセル情報（relevant unlicensed cell information）（例えば、無線フレームタイミング、共通チャネル構成（common channel configuration）、システムフレーム番号、すなわちＳＦＮ等）を提供するブートストラップされたモード（bootstrapped mode）で動作し得る。このモードでは、アンライセンスドスペクトルを持つＬＴＥ／ＬＴＥ−Ａとアンライセンスドスペクトルを持たないＬＴＥ／ＬＴＥ−Ａ間の近接した相互作用（close interworking）が存在し得る。例えば、ブートストラップされたモードは、上述のキャリアアグリゲーションモード、および付加ダウンリンク（supplemental downlink）をサポートし得る。アンライセンスドスペクトルを持つＬＴＥ／ＬＴＥ−ＡネットワークのＰＨＹ−ＭＡＣレイヤは、アンライセンスドスペクトルを持つＬＴＥ／ＬＴＥ−ＡネットワークがＬＴＥネットワークから独立して動作するスタンドアロンモードで動作し得る。この場合、例えば、コロケートされたセル（co-located cells）、または複数のセルおよび／または基地局にわたるマルチフロー（multiflow）を持つＲＬＣレベルのアグリゲーションに基づく、アンライセンスドスペクトルを持つＬＴＥ／ＬＴＥ−Ａとアンライセンスドスペクトルを持たないＬＴＥ／ＬＴＥ−Ａ間のルーズな相互作用（loose interworking）が存在し得る。
【００２３】
[0033]  本明細書で説明された技法は、ＬＴＥに限定されず、例えば、ＣＤＭＡ、ＴＤＭＡ、ＦＤＭＡ、ＯＦＤＭＡ、ＳＣ−ＦＤＭＡ、および他のシステム等の様々なワイヤレス通信システムのためにも使用され得る。「システム」および「ネットワーク」という用語は、交換可能に使用されることが多い。ＣＤＭＡシステムは、例えば、ＣＤＭＡ２０００、ユニバーサル地上無線アクセス（ＵＴＲＡ）等の無線技術をインプリメントし得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００  １Ｘ、１Ｘ等と一般的に称される。ＩＳ−８５６（ＴＩＡ−８５６）は、ＣＤＭＡ２０００  １ｘＥＶ−ＤＯ、高速パケットデータ（ＨＲＰＤ）等と一般的に称される。ＵＴＲＡは、広帯域ＣＤＭＡ（ＷＣＤＭＡ（登録商標））およびＣＤＭＡの他の変形を含む。ＴＤＭＡシステムは、例えばグローバルシステムフォーモバイルコミュニケーションズ（ＧＳＭ（登録商標））等の無線技術をインプリメントし得る。ＯＦＤＭＡシステムは、例えば、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ等の無線技術をインプリメントし得る。ＵＴＲＡおよびＥ−ＵＴＲＡは、ユニバーサルモバイル電気通信システム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる団体からの文書に説明されている。ＣＤＭＡ２０００およびＵＭＢは、「第３世代パートナーシッププロジェクト２」（３ＧＰＰ２）と呼ばれる団体からの文書に説明されている。本明細書で説明される技法は、上述されたシステムおよび無線技術にも、他のシステムおよび無線技術にも使用され得る。しかしながら、下記の説明は、例のためにＬＴＥシステムを説明しており、ＬＴＥ用語が、下記の説明のほとんどで使用されるが、技法はＬＴＥ適用の範囲を超えて適用可能である。
【００２４】
[0034]  よって、以下の説明は、例を提供するものであり、特許請求の範囲において記述される範囲、適用性、あるいは構成を限定するものではない。本開示の趣旨および範囲から逸脱することなく、説明される要素の機能および配置において変更がなされ得る。様々な実施形態は、様々な手順またはコンポーネントを必要に応じて省略、置換、または追加し得る。例えば、説明される方法は、説明されるものとは異なる順序で実行されることができ、様々なステップが追加され、省略され、あるいは組み合わされ得る。また、ある特定の実施形態に関して説明される特徴は、他の実施形態で組み合わされ得る。
【００２５】
[0035]  まず図１を参照すると、図は、ワイヤレス通信システムの例、すなわちネットワーク１００を例示している。システム１００は、基地局（またはセル）１０５、通信デバイス１１５、およびコアネットワーク１３０を含む。基地局１０５は、基地局コントローラ（示されていない）の制御下で通信デバイス１１５と通信することができ、それは、様々な実施形態における、コアネットワーク１３０または基地局１０５の一部であり得る。基地局１０５は、バックホールリンク１３２を通して、コアネットワーク１３０と制御情報および／またはユーザデータを通信し得る。実施形態では、基地局１０５は、直接的かまたは間接的かのどちらかで、バックホールリンク１３４にわたって互いに通信することができ、それは、ワイヤードまたはワイヤレス通信リンクであり得る。システム１００は、複数のキャリア（異なる周波数の波形信号）上の動作をサポートし得る。マルチキャリア送信機は、複数のキャリア上で同時に変調された信号を送信することができる。例えば、各通信リンク１２５は、上述の様々な無線技術にしたがって変調されたマルチキャリア信号であり得る。各変調された信号は、異なるキャリア上で送られることができ、制御情報（例えば、基準信号、制御チャネル等）、オーバヘッド情報、データ等を搬送し得る。
【００２６】
[0036]  基地局１０５は、１つ以上の基地局アンテナを介してデバイス１１５とワイヤレスで通信し得る。基地局１０５のサイトの各々は、それぞれの地理的エリア１１０のための通信カバレッジを提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適切な用語で称され得る。基地局のためのカバレッジエリア１１０は、カバレッジエリアの一部のみを構成するセクタ（示されていない）に分けられ得る。システム１００は、異なるタイプの基地局１０５（例えば、マクロ、マイクロ、および／またはピコ基地局）を含み得る。異なる技術のためにオーバーラップしているカバレッジエリアが存在し得る。
【００２７】
[0037]  いくつかの実施形態では、システム１００は、アンライセンスドスペクトルを介した通信の能力がある展開シナリオ、またはオペレーションの１つ以上のモードをサポートするＬＴＥ／ＬＴＥ−Ａネットワークである。他の実施形態では、システム１００は、ＬＴＥとは異なるアンライセンスドスペクトルおよびアクセス技術、またはＬＴＥ／ＬＴＥ−Ａとは異なるライセンスドスペクトルおよびアクセス技術を使用するワイヤレス通信をサポートし得る。発展型ノードＢ（ｅＮＢ）およびユーザ機器（ＵＥ）という用語はそれぞれ、基地局１０５およびデバイス１１５を説明するために、一般的に使用され得る。システム１００は、ｅＮＢの異なるタイプが様々な地理的領域のためにカバレッジを提供する異種のＬＴＥ／ＬＴＥ−Ａネットワーク（Heterogeneous LTE/LTE-A network）であり得る。例えば、各ｅＮＢ１０５は、マクロセル、ピコセル、フェムトセル、および／または他のタイプのセルのために通信カバレッジを提供し得る。例えばピコセル、フェムトセル、および／または他のタイプのセル等の小さいセルは、低電力ノード、すなわちＬＰＮｓを含み得る。マクロセルは一般的に、比較的広い地理的エリア（例えば、半径数キロメートル）をカバーし、ネットワークプロバイダにサービス加入しているＵＥｓによる無制限のアクセスを可能にし得る。ピコセルは一般的に、比較的より狭い地理的エリアをカバーし、ネットワークプロバイダにサービス加入しているＵＥｓによる無制限のアクセスを可能にし得る。フェムトセルもまた、一般的に、比較的狭い地理的エリア（例えば、家）をカバーし、無制限のアクセスに加えて、フェムトセルとの関連付けを有するＵＥｓ（例えば、クローズドサブスクライバグループ（ＣＳＧ）の中のＵＥｓ、家の中のユーザのためのＵＥｓ等）による制限されたアクセスをも提供し得る。マクロセルのためのｅＮＢは、マクロｅＮＢと称され得る。ピコセルのためのｅＮＢは、ピコｅＮＢと称され得る。また、フェムトセルのためのｅＮＢは、フェムトｅＮＢまたはホームｅＮＢと称され得る。ｅＮＢは、１つまたは複数の（例えば、２個、３個、４個等の）セルをサポートし得る。
【００２８】
[0038]  コアネットワーク１３０は、バックホール１３２（例えば、Ｓ１等）を介してｅＮＢｓ１０５と通信し得る。ｅＮＢｓ１０５はまた、例えば、バックホールリンク１３４（例えば、Ｘ２等）を介して、および／またはバックホールリンク１３２を介して（例えば、コアネットワーク１３０を通じて）、直接的または間接的に、互いに通信し得る。システム１００は、同期または非同期動作をサポートし得る。同期動作の場合、ｅＮＢｓは、同様のフレームおよび／またはゲートタイミング（similar frame and/or gating timing）を有することができ、異なるｅＮＢｓからの送信は、時間の中で近似的にアラインされ（approximately aligned in time）得る。非同期動作の場合、ｅＮＢｓは、異なるフレームおよび／またはゲートタイミングを有することができ、異なるｅＮＢｓからの送信は、時間の中でアラインされ得ない。本明細書で説明される技法は、同期動作か、または非同期動作かのどちらかに使用され得る。
【００２９】
[0039]  ＵＥｓ１１５は、システム１００全体にわたって分散され、各ＵＥは、固定またはモバイルであり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語として称され得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局等であり得る。ＵＥは、マクロｅＮＢｓ、ピコｅＮＢｓ、フェムトｅＮＢｓ、リレー等と通信することが可能であり得る。
【００３０】
[0040]  システム１００に示される通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は、順方向リンク送信とも呼ばれることができ、一方アップリンク送信は、逆方向リンク送信とも呼ばれ得る。ダウンリンク送信は、ライセンスドスペクトル、アンライセンスドスペクトル、または両方を使用してなされ得る。同様に、アップリンク送信は、ライセンスドスペクトル、アンライセンスドスペクトル、または両方を使用してなされ得る。
【００３１】
[0041]  システム１００のいくつかの実施形態では、アンライセンスドスペクトルを持つＬＴＥ／ＬＴＥ−Ａのための様々な展開シナリオは、ライセンスドスペクトルにおけるＬＴＥダウンリンク容量がアンライセンスドスペクトルにオフロードされ（be offloaded）得る付加ダウンリンク（ＳＤＬ）モード、ＬＴＥダウンリンク容量とＬＴＥアップリンク容量の両方がライセンスドスペクトルからアンライセンスドスペクトルにオフロードされ得るキャリアアグリゲーションモード、および基地局（例えば、ｅＮＢ）とＵＥ間のＬＴＥダウンリンク通信およびＬＴＥアップリンク通信がアンライセンスドスペクトルで生じ得るスタンドアロンモードを含みサポートされ得る。基地局１０５もＵＥｓ１１５も、これらの、または同様のオペレーションモードのうちの１つ以上をサポートし得る。ＯＦＤＭＡ通信信号は、アンライセンスドスペクトルにおけるＬＴＥダウンリンク送信のための通信リンク１２５で使用されることができ、一方ＳＣ−ＦＤＭＡ通信信号は、アンライセンスドスペクトルにおけるＬＴＥアップリンク送信のための通信リンク１２５で使用され得る。例えば、システム１００等のシステムの中のアンライセンスドスペクトルを持つオペレーションのモード、またはＬＴＥ／ＬＴＥ−Ａ展開シナリオのインプリメンテーションに関する追加の詳細、およびアンライセンスドスペクトルを持つＬＴＥ／ＬＴＥ−Ａのオペレーションと関連する他の特徴および機能は、図２Ａ−１０を参照して以下に提供される。
【００３２】
[0042]  次に図２Ａを参照すると、図２００は、アンライセンスドスペクトルを介した通信をサポートするＬＴＥネットワークのための付加ダウンリンクモードの、およびキャリアアグリゲーションモードの例を示す。図２００は、図１のシステム１００の一部の例であり得る。さらに、基地局１０５−ａは、図１の基地局１０５の例であることができ、一方ＵＥｓ１１５−ａは、図１のＵＥｓ１１５の例であり得る。
【００３３】
[0043]  図２００の付加ダウンリンクモードの例では、基地局１０５−ａは、ダウンリンク２０５を使用してＯＦＤＭＡ通信信号をＵＥ１１５−ａに送信し得る。ダウンリンク２０５は、アンライセンスドスペクトルの中の周波数Ｆ１と関連付けられる。基地局１０５−ａは、双方向リンク２１０を使用してＯＦＤＭＡ通信信号を同じＵＥ１１５−ａに送信することができ、双方向リンク２１０を使用してそのＵＥ１１５−ａからＳＣ−ＦＤＭＡ通信信号を受信し得る。双方向リンク２１０は、ライセンスドスペクトルの中の周波数Ｆ４と関連付けられる。アンライセンスドスペクトルの中のダウンリンク２０５、およびライセンスドスペクトルの中の双方向リンク２１０は、一斉に動作し得る。ダウンリンク２０５は、基地局１０５−ａのためにダウンリンク容量のオフロードを提供し得る。いくつかの実施形態では、ダウンリンク２０５は、（例えば、１つのＵＥ宛ての）ユニキャストサービスのサービスのために、または（例えば、いくつかのＵＥｓ宛ての）マルチキャストサービスのために使用され得る。このシナリオは、ライセンスドスペクトルを使用し、トラヒックおよび／またはシグナリング輻輳のいくらかを軽減する必要がある任意のサービスプロバイダ（例えば、従来の（traditional）モバイルネットワークオペレータ、またはＭＮＯ）を伴って起こり得る。
【００３４】
[0044]  図２００のキャリアアグリゲーションモードの１つの例では、基地局１０５−ａは、双方向リンク２１５を使用してＯＦＤＭＡ通信信号をＵＥ１１５−ａに送信することができ、双方向リンク２１５を使用して同じＵＥ１１５−ａからＳＣ−ＦＤＭＡ通信信号を受信し得る。双方向リンク２１５は、アンライセンスドスペクトルの中の周波数Ｆ１と関連付けられる。基地局１０５−ａはまた、双方向リンク２２０を使用してＯＦＤＭＡ通信信号を同じＵＥ１１５−ａに送信することができ、双方向リンク２２０を使用してＳＣ−ＦＤＭＡ通信信号を同じＵＥ１１５−ａから受信し得る。双方向リンク２２０は、ライセンスドスペクトルの中の周波数Ｆ２と関連付けられる。双方向リンク２１５は、基地局１０５−ａのためにダウンリンクおよびアップリンク容量のオフロードを提供し得る。上述の付加ダウンリンクのように、このシナリオは、ライセンスドスペクトルを使用し、トラヒックおよび／またはシグナリング輻輳のいくらかを軽減する必要がある任意のサービスプロバイダ（例えばＭＮＯ）を伴って起こり得る。
【００３５】
[0045]  図２００のキャリアアグリゲーションモードの別の例では、基地局１０５−ａは、双方向リンク２２５を使用してＯＦＤＭＡ通信信号をＵＥ１１５−ａに送信することができ、双方向リンク２２５を使用してＳＣ−ＦＤＭＡ通信信号を同じＵＥ１１５−ａから受信し得る。双方向リンク２２５は、アンライセンスドスペクトルの中の周波数Ｆ３と関連付けられる。基地局１０５−ａはまた、双方向リンク２３０を使用してＯＦＤＭＡ通信信号を同じＵＥ１１５−ａに送信することができ、双方向リンク２３０を使用して同じＵＥ１１５−ａからＳＣ−ＦＤＭＡ通信信号を受信し得る。双方向リンク２３０は、ライセンスドスペクトルの中の周波数Ｆ２と関連付けられる。双方向リンク２２５は、基地局１０５−ａのためにダウンリンクおよびアップリンク容量のオフロードを提供し得る。上記に提供されたこの例およびそれらは、例示の目的で提示され、容量のオフロードのためのアンライセンスドスペクトルを持つ、および持たないＬＴＥ／ＬＴＥ−Ａを組み合わせるオペレーションまたは展開シナリオの他の同様のモードが存在し得る。
【００３６】
[0046]  上述のように、アンライセンスドスペクトルを持つＬＴＥ／ＬＴＥ−Ａを使用することによって提供された容量のオフロードからの利益を享受し得る典型的なサービスプロバイダは、ＬＴＥスペクトルを持つ従来のＭＮＯである。これらのサービスプロバイダのために、動作の構成（operational configuration）は、ライセンスドスペクトル上のＬＴＥの一次コンポーネントキャリア（ＰＣＣ）、およびアンライセンスドスペクトル上のＬＴＥの二次コンポーネントキャリア（ＳＣＣ）を使用するブートストラップされたモード（例えば、付加ダウンリンク、キャリアアグリゲーション）を含み得る。
【００３７】
[0047]  付加ダウンリンクモードでは、アンライセンスドスペクトルを持つＬＴＥ／ＬＴＥ−Ａのための制御は、ＬＴＥアップリンク（例えば、双方向リンク２１０のアップリンクの部分（uplink portion））を介してトランスポートされ得る。ダウンリンク容量のオフロードを提供するための理由のうちの１つは、データ要求が概してダウンリンク消費によって駆動されるためである。さらに、このモードでは、ＵＥがアンライセンスドスペクトルの中で送信していないため、規制の影響（regulatory impact）が存在し得ない。ＵＥ上でリッスンビフォアトーク（listen-before-talk）（ＬＢＴ）、またはキャリアセンス多元接続（carrier sense multiple access）（ＣＳＭＡ）の要件をインプリメントする必要はない。しかしながら、ＬＢＴは、例えば、無線フレームの境界（radio frame boundary）にアラインされるグラブアンドレリンクイッシュメカニズム（grab-and-relinquish mechanism）および／または周期的な（例えば、１０ミリ秒ごとの）クリアチャネル評価（ＣＣＡ）を使用することによって、基地局（例えば、ｅＮＢ）上でインプリメントされ得る。
【００３８】
[0048]  キャリアアグリゲーションモードでは、データおよび制御は、ＬＴＥ（例えば、双方向リンク２１０、２２０、および２３０）の中で通信されることができ、一方データは、アンライセンスドスペクトルを持つＬＴＥ／ＬＴＥ−Ａ（例えば、双方向リンク２１５および２２５）の中で通信され得る。アンライセンスドスペクトルを持つＬＴＥ／ＬＴＥ−Ａを使用するときサポートされるキャリアアグリゲーションのメカニズムは、コンポーネントキャリアにわたって異なる対称性（symmetry）を持つハイブリッド周波数分割多重−時分割多重（hybrid frequency division duplexing-time division duplexing）（ＦＤＤ−ＴＤＤ）キャリアアグリゲーション、またはＴＤＤ−ＴＤＤキャリアアグリゲーションに該当し（fall under）得る。
【００３９】
[0049]  図２Ｂは、アンライセンスドスペクトルを持つＬＴＥ／ＬＴＥ−Ａのためのスタンドアロンモードの例を例示する図２００−ａを示す。図２００−ａは、図１のシステム１００の一部の例であり得る。さらに、基地局１０５−ｂは、図１の基地局１０５および図２Ａの基地局１０５−ａの例であることができ、一方ＵＥ１１５−ｂは、図１のＵＥｓ１１５および図２ＡのＵＥｓ１０５−ａの例であり得る。
【００４０】
[0050]  図２００−ａのスタンドアロンモードの例では、基地局１０５−ｂは、双方向リンク２４０を使用してＯＦＤＭＡ通信信号をＵＥ１１５−ｂに送信することができ、双方向リンク２４０を使用してＵＥ１１５−ｂからＳＣ−ＦＤＭＡ通信信号を受信し得る。双方向リンク２４０は、図２Ａに関して上述のアンライセンスドスペクトルの中の周波数Ｆ３と関連付けられる。スタンドアロンモードは、例えば、インスタジアムアクセス（in-stadium access）（例えば、ユニキャスト、マルチキャスト）等の従来のものでない（non-traditional）ワイヤレスアクセスシナリオで使用され得る。オペレーションのこのモードのための典型的なサービスプロバイダは、スタジアムのオーナー、ケーブル会社、イベントホスト、ホテル、企業、およびライセンスドスペクトルを有していない大企業であり得る。これらのサービスプロバイダのために、スタンドアロンモードのための動作の構成は、アンライセンスドスペクトル上のＬＴＥ−Ｕ  ＰＣＣを使用し得る。さらに、ＬＢＴは、基地局とＵＥの両方でインプリメントされ得る。
【００４１】
[0051]  次に図３を参照して、図３００は、様々な実施形態にしたがってライセンスド、およびアンライセンスドスペクトルの中で一斉にＬＴＥを使用するときのキャリアアグリゲーションの例を例示する。図３００のキャリアアグリゲーション方式は、図２Ａに関して上述したハイブリッドＦＤＤ−ＴＤＤキャリアアグリゲーションに対応し得る。キャリアアグリゲーションのこのタイプは、図１のシステム１００の少なくとも一部で使用され得る。さらに、キャリアアグリゲーションのこのタイプは、図１および図２Ａの基地局１０５および１０５−ａでそれぞれ使用されることができ、および／または、図１および図２ＡのＵＥｓ１１５および１１５−ａでそれぞれ使用され得る。
【００４２】
[0052]  この例では、ＦＤＤ（ＦＤＤ−ＬＴＥ）は、ダウンリンクの中でＬＴＥに関連して実行されることができ、第１のＴＤＤ（ＴＤＤ１）は、アンライセンスドスペクトルを持つＬＴＥ／ＬＴＥ−Ａに関連して実行されることができ、第２のＴＤＤ（ＴＤＤ２）は、ＬＴＥに関連して実行されることができ、別のＦＤＤ（ＦＤＤ−ＬＴＥ）は、アップリンクの中でＬＴＥに関連して実行され得る。ＴＤＤ１は、６：４のＤＬ：ＵＬ比率となり、一方ＴＤＤ２に関する比率は、７：３である。時間スケール上で、異なる効果的なＤＬ：ＵＬ比率は、３：１、１：３、２：２、３：１、２：２、および３：１である。この例は、例示の目的で提示され、アンライセンスドスペクトルを持つ、および持たないＬＴＥ／ＬＴＥ−Ａのオペレーションを組み合わせる他のキャリアアグリゲーション方式が存在し得る。
【００４３】
[0053]  図４は、基地局／ｅＮＢ１０５およびＵＥ１１５の設計のブロック図を示し、それは、図１の基地局／ｅＮＢｓのうちの１つおよびＵＥｓのうちの１つであり得る。ｅＮＢ１０５は、アンテナ４３４ａ〜４３４ｔを備えることができ、ＵＥ１１５は、アンテナ４５２ａ〜４５２ｒを備え得る。ｅＮＢ１０５において、送信プロセッサ４２０は、データソース４１２からデータを受信することができ、コントローラ／プロセッサ４４０から制御情報を受信し得る。制御情報は、物理ブロードキャストチャネル（ＰＢＣＨ）、物理制御形式インジケータチャネル（physical control format indicator channel）（ＰＣＦＩＣＨ）、物理ハイブリッド自動再送要求インジケータチャネル（physical hybrid automatic repeat request indicator channel）（ＰＨＩＣＨ）、物理ダウンリンク制御チャネル（physical downlink control channel）（ＰＤＣＣＨ）等のためのものであり得る。データは、物理ダウンリンク共有チャネル（ＰＤＳＣＨ）等のためのものであり得る。送信プロセッサ４２０は、データシンボルおよび制御シンボルをそれぞれ取得するために、データおよび制御情報を処理（例えば、符号化およびシンボルマッピング（symbol map））し得る。送信プロセッサ４２０はまた、例えば、プライマリ同期信号（primary synchronization signal）（ＰＳＳ）、セカンダリ同期信号（secondary synchronization signal）（ＳＳＳ）、およびセル固有の基準信号（cell-specific reference signal）のための基準シンボルを生成し得る。送信（ＴＸ）複数入力複数出力（multiple-input multiple-output）（ＭＩＭＯ）プロセッサ４３０は、適用可能な場合、データシンボル、制御シンボル、および／または基準シンボルに空間的処理（例えば、プリコーディング（precoding））を実行することができ、出力シンボルストリームを変調器（ＭＯＤｓ）４３２ａ〜４３２ｔに提供し得る。各変調器４３２は、出力サンプルストリームを取得するために（例えば、ＯＦＤＭ等のための）それぞれの出力シンボルストリームを処理し得る。各変調器４３２は、ダウンリンク信号を取得するために、出力サンプルストリームをさらに処理（例えば、アナログに変換、増幅、フィルタリング、およびアップコンバート）し得る。変調器４３２ａ〜４３２ｔからのダウンリンク信号は、それぞれ、アンテナ４３４ａ〜４３４ｔを介して送信され得る。
【００４４】
[0054]  ＵＥ１１５において、アンテナ４５２ａ〜４５２ｒは、ｅＮＢ１０５からダウンリンク信号を受信することができ、受信された信号をそれぞれ復調器（ＤＥＭＯＤｓ）４５４ａ〜４５４ｒに提供し得る。各復調器４５４は、入力サンプルを取得するために、それぞれの受信された信号を調整（例えば、フィルタリング、増幅、ダウンコンバート、およびデジタル化）し得る。各復調器４５４は、受信されたシンボルを取得するために、（例えば、ＯＦＤＭ等のための）入力サンプルをさらに処理し得る。ＭＩＭＯ検出器４５６は、すべての復調器４５４ａ〜４５４ｒからの受信されたシンボルを取得することができ、適用可能な場合、受信されたシンボルにＭＩＭＯ検出を実行することができ、検出されたシンボルを提供し得る。受信プロセッサ４５８は、検出されたシンボルを処理する（例えば、復調する、デインタリーブ（deinterleave）する、および復号する）ことができ、ＵＥ１１５のための復号されたデータをデータシンク４６０に提供することができ、復号された制御情報をコントローラ／プロセッサ４８０に提供し得る。
【００４５】
[0055]  アップリンク上で、ＵＥ１１５において、送信プロセッサ４６４は、データソース４６２からの（例えば、物理アップリンク共有チャネル（ＰＵＳＣＨ）に関する）データおよびコントローラ／プロセッサ４８０からの（例えば、物理アップリンク制御チャネル（ＰＵＣＣＨ）に関する）制御情報を受信および処理し得る。送信プロセッサ４６４はまた、基準信号のための基準シンボルを生成し得る。送信プロセッサ４６４からのシンボルは、適用可能な場合、ＴＸ  ＭＩＭＯプロセッサ４６６によってプリコードされることができ、（例えば、ＳＣ−ＦＤＭ等のために）変調器４５４ａ〜４５４ｒによってさらに処理されることができ、ｅＮＢ１０５に送信され得る。ｅＮＢ１０５において、ＵＥ１１５からのアップリンク信号は、アンテナ４３４によって受信されることができ、変調器４３２によって処理されることができ、適用可能な場合、ＭＩＭＯ検出器４３６によって検出されることができ、ＵＥ１１５によって送られた復号されたデータおよび制御情報を取得するために受信プロセッサ４３８によってさらに処理され得る。プロセッサ４３８は、復号されたデータをデータシンク４３９に提供することができ、復号された制御情報をコントローラ／プロセッサ４４０に提供し得る。
【００４６】
[0056]  コントローラ／プロセッサ４４０および４８０は、それぞれ、ｅＮＢ１０５およびＵＥ１１５におけるオペレーションを指示し得る。ｅＮＢ１０５におけるコントローラ／プロセッサ４４０および／または他のプロセッサとモジュールは、本明細書に説明されている技法のための様々な処理の実行を行う、または指示し得る。ＵＥ１１５におけるコントローラ／プロセッサ４８０および／または他のプロセッサとモジュールはまた、図６、９Ａ、および９Ｂに例示される機能ブロック、および／または本明細書に説明されている技法のための他の処理の実行を行う、または指示し得る。メモリ４４２および４８２は、それぞれ、ｅＮＢ１０５およびＵＥ１１５のためのデータおよびプログラムコードを記憶し得る。スケジューラ４４４は、ダウンリンクおよび／またはアップリンク上のデータ送信のためにＵＥｓをスケジューリングし得る。
【００４７】
[0057]  図５は、マルチクラスタＳＣ−ＦＤＭＡ送信のために構成されるアップリンク送信ストリームを例示するブロック図である。公称チャネル帯域幅（nominal channel bandwidth）５００は、アンライセンスドスペクトルを持つ２０ＭＨｚのＬＴＥ／ＬＴＥ−Ａ展開のために例示される。実際のチャネル帯域幅（Actual channel bandwidth）５０１は、１００個のＲＢｓを表し、それは、約１８ＭＨｚの実用可能な帯域幅（actual usable bandwidth）を表す。占有されたチャネル帯域幅を考慮するために、アップリンク送信は、公称チャネル帯域幅５００の少なくとも８０％に及ぶ（span）べきである。占有されたチャネル帯域幅５０２は、９１個のＲＢｓを有し、約１６．４ＭＨｚを表して例示される。よって、ＰＵＣＣＨ送信を含む、アップリンク送信のために、１０個のＰＵＣＣＨチャネルは、占有された帯域幅の要件を成功裡に（successfully）満たすために、１０個のＲＢｓの最小のインタリービング粒度（minimum interleaving granularity）で多重化され得る。よって、占有されたチャネル帯域幅５０２にわたるアップリンク送信ＲＢｓ５０３および５０４のインタリービングを含む、インターレース１〜インターレース１０は、アンライセンスドスペクトルを持つＬＴＥ／ＬＴＥ−Ａ展開の中のアンライセンスドスペクトルのための占有された帯域幅の要件を満たすこととなる。例えば、２０ＭＨｚのシステムでは、１つのＰＵＣＣＨチャネルは次に、ＲＢｓ０、１０、２０、・・・９０を占有することができる。公称帯域幅にわたる１０個のＲＢｓは、占有されたチャネル帯域幅を考慮するべき８０％の要件を満たすこととなる。
【００４８】
[0058]  例えば、ＰＵＣＣＨおよびＰＵＳＣＨ信号等の、アップリンク信号は、異なる変調シンボルが各サブキャリアのために送られる、またはいくつかのプリコーディングが周波数領域の波形を送る前になされるサブキャリアのセットを占有する局所的周波数分割多重（localized frequency division multiplexing）（ＬＦＤＭ）の波形に概して基づく。これらの波形を使用するとき、送ることが利用可能であるデータの少量は、スペクトルのごく一部が占有されるという結果をもたらす。送信電力スペクトル密度（transmit power spectral density）（ＴＸ−ＰＳＤ）における制限のため、帯域幅の小さな部分を占有しているとき、電力の少量が送信される。上記のように、占有された帯域幅の要件は、そのようなアップリンク送信が全体の波形のパーセンテージを占有する必要があり得ることを提案することとなる。しかしながら、波形の大部分が占有され、使用されていないサブキャリアを少しも残さない場合、帯域幅の所与の量のために異なるユーザを多重化する可能性はあり得ない。ＳＣ−ＦＤＭＡ信号のマルチクラスタリングは、信号が、Ｎ番目ごとのうちの１個のサブキャリア（例えば、１０個のうちの１個、１２個のうちの１個等）ごとに占有するようにその信号をインタリーブするために各送信機を備え、それによって中間の占有されていない中で（in the middle unoccupied）多くのサブキャリアを残す。このマルチクラスタＳＣ−ＦＤＭＡアプローチは、より高い電力で（それでも規制を満足するために十分低いＰＳＤで）波形を送ることをイネーブルする（enable）ために公称帯域幅占有（nominal bandwidth occupancy）を増加し得る。インタリーブされた周波数分割多重化（Interleaved frequency division multiplexing）（ＩＦＤＭ）および、インタリーブされた直交周波数分割多重化（interleaved orthogonal frequency division multiplexing）（Ｉ−ＯＦＤＭ）信号は、使用されることができ、それらのサブキャリアに限られる信号を送るためにＮ番目のうちの１個のサブキャリアを占有する。
【００４９】
[0059]  ＬＴＥシステムにスケジューリングされたＰＵＣＣＨ送信は、サブフレーム内で２個のスロットにわたってミラーホッピング（mirror hopping）を使用して、各スロットの中の１個のリソースブロック（ＲＢ）を占有する１個の物理リソースブロック（ＰＲＢ）のために概して割り当てられる。ＰＵＣＣＨ形式の３つのカテゴリが存在し、ＬＴＥ通信システムの中で現在サポートされている：ＰＵＣＣＨ形式１／１ａ／１ｂ、ＰＵＣＣＨ形式２／２ａ／２ｂ、およびＰＵＣＣＨ形式３。ＰＵＣＣＨ形式１／１ａ／１ｂは、スケジューリング要求（ＳＲ）、およびＨＡＲＱ肯定応答（ＡＣＫ）／否定応答（ＮＡＫ）情報を配信するように主に構成される。ＰＵＣＣＨ形式１／１ａ／１ｂでは、各ＰＵＣＣＨチャネルは、１または２ビットのＡＣＫ／ＮＡＫ情報、および潜在的に、１ビットのＳＲ送信を搬送し得る。さらに、形式１／１ａ／１ｂ送信の中の各ＲＢは、３６個のＰＵＣＣＨチャネルまで多重化する能力がある。３６個のＰＵＣＣＨチャネルが形式１／１ａ／１ｂの中の最大多重化能力（maximum multiplexing capability）であるが、実際には、形式１／１ａ／１ｂのＰＵＣＣＨ送信は、かなり少ないチャネル（例えば、８、１０、１２等）で多重化する。したがって、各ＰＵＣＣＨ形式１／１ａ／１ｂチャネルは、その多重化能力で、たった２ビットまでを搬送するだけであり得るが、ＰＵＣＣＨ形式１／１ａ／１ｂの総容量は、かなり高い。
【００５０】
[0060]  ＰＵＣＣＨ形式２／２ａ／２ｂは、いくつかの追加のＡＣＫ／ＮＡＫを持つチャネルステート情報（ＣＳＩ）を搬送するように主に構成される。各形式２／２ａ／２ｂチャネルは、０／１／２ビットのＡＣＫ／ＮＡＫとともにＣＳＩのフィードバックのための２０個のコード化されたビットを搬送し得る。ＰＵＣＣＨ形式２／２ａ／２ｂは、１２チャネルまでの各ＲＢのための多重化能力を含む。
【００５１】
[0061]  ＰＵＣＣＨ形式３は、キャリアアグリゲーション（ＣＡ）のインプリメンテーションに順応するように主に構成される。ＣＡの１つの結果は、複数のコンポーネントキャリア（ＣＣｓ）のためのＡＣＫ／ＮＡＫビットの増加された数である。追加のＡＣＫ／ＮＡＫのペイロードは、形式１／１ａ／１ｂまたは２／２ａ／２ｂの既存の容量と一般的には互換性がなかった。形式３のためのチャネルキャリアの各々は、ＳＲのための１ビットまで、および／またはＣＳＩフィードバックのための１１ビットまでで、ＡＣＫ／ＮＡＫのためのＦＤＤの中の１０ビット、またはＴＤＤの中の２０ビットまで搬送し得る。
【００５２】
[0062]  アンライセンスドスペクトルを持つＬＴＥ／ＬＴＥ−Ａシステム展開は、現在のＬＴＥ  ＰＵＣＣＨ規格に関するイシュー（issues）をもたらし得るさらなる特徴を提供する。例えば、アンライセンスドスペクトルを持つＬＴＥ／ＬＴＥ−Ａは、ＣＡのインプリメンテーションよりさらに大きい、潜在的な多数のＣＣｓを提供し、それは、複数の個々のＡＣＫ／ＮＡＫ応答、またはグループＡＣＫ／ＮＡＫのための総計の潜在的なＡＣＫ／ＮＡＫのペイロード（total potential ACK/NAK payload）を増加し得る。しかしながら、アンライセンスド帯域の中のＣＣｓのためのＬＢＴの要件に対処する際に、潜在的なＡＣＫ／ＮＡＫのペイロードは、ＣＣＡチェックの結果に依存する、サブフレームからサブフレームへ可変であり得る。他のアップリンク制御情報の有／無に加えてこれらの特徴は、現在のＰＵＣＣＨ規格と互換性があり得ない。
【００５３】
[0063]  本開示の様々な態様は、アンライセンスドスペクトルを持つＬＴＥ／ＬＴＥ−Ａシステム展開のためのＰＵＣＣＨ処理（PUCCH handling）をアップデートするために向けられる。図６は、本開示の１つの態様をインプリメントするために実行される例示的なブロックを例示する機能ブロック図である。ブロック６００において、ＵＥは、基地局、またはより一般的にはアップリンク制御チャネル送信のためのリソースのノード（場合により別のＵＥを含む）からの割り当てを受信する。ＰＵＣＣＨ送信のための占有されたチャネル帯域幅の要件とともにアンライセンスドスペクトルキャリアを持つＬＴＥ／ＬＴＥ−Ａによる増加された潜在的なペイロードのため、現在のＬＴＥ  ＰＵＣＣＨ送信のための単一のＰＲＢ割り当ては、不十分であり得る。そのようなものとして、アンライセンスドスペクトルにわたるＬＴＥ  ＰＵＣＣＨは、必要であれば複数のＰＲＢｓ（Ｍ）のために割り当てられ得る。
【００５４】
[0064]  ブロック６０１では、ＵＥは、ＵＥのために構成される１つ以上のキャリアと関連付けられたＣＣＡ情報に、少なくとも部分的に、基づいてアップリンク制御情報（ＵＣＩ）を決定する。代替として、アップリンク制御情報（ＵＣＩ）は、たとえクリアＣＣＡが、ＣＣのためにチェックされないとしても、ＣＣｓの構成された数、および／または各構成されたＣＣのダウンリンク送信モードに基づいて決定され得る。ＵＣＩデータは、ＡＣＫ／ＮＡＫ、ＳＲ、および／またはＣＱＩ情報を含み得る。ＵＣＩ情報は、送信のためにスケジューリングされ得る。しかしながら、実際のペイロードのサイズは、どのキャリアがクリアＣＣＡのチェックを受信するかに依存する。ＵＥは、どのキャリアが送信のためにクリアであり、どれがそうでないかを検出した後、実際のペイロードのサイズを決定し得る。
【００５５】
[0065]  ブロック６０２では、ＵＥは、割り当てられたリソースを介して、ＵＣＩを基地局に送信する。本開示の様々な態様にしたがってＰＵＣＣＨを送信する際、ＰＵＣＣＨのための異なる構造が、用いられ得る。１つの例では、並列の複数のＰＵＣＣＨ送信が使用され得る。そのような並列送信では、各送信は、既存のＰＵＣＣＨ形式（例えば、ＰＵＣＣＨ  １／１ａ／１ｂ、ＰＵＣＣＨ  ２／２ａ／２ｂ等）に基づき得る。
【００５６】
[0066]  ＵＥは、少なくとも１つの制御チャネル形式にしたがって複数のアップリンク制御チャネルメッセージを生成することができ、アップリンク制御チャネルメッセージは、Ｋ個のＵＣＩビットを含む。ＵＥは、例えば、ＰＵＣＣＨ形式１／１ａ／１ｂ、２／２ａ／２ｂ、および３等の既存の形式のうちの１つ、または新しい形式であろうとなかろうと、特定のＰＵＣＣＨ形式にしたがって、例えば、ＰＵＣＣＨメッセージ等の、必須アップリンク制御チャネルメッセージ（requisite uplink control channel messages）を生成し得る。ＰＵＣＣＨ形式は、Ｍ個の割り当てられたＰＲＢｓの各々にわたるすべてのＰＵＣＣＨメッセージのために選択され得る。代替として、ＰＵＣＣＨ形式は、１つのＲＢの中の異なるＰＵＣＣＨ形式を選択すること、または複数のＲＢｓにわたって異なるＰＵＣＣＨ形式を選択することによって、ＵＥによって多重化され得る。
【００５７】
[0067]  異なるＰＵＣＣＨ形式は、サービング基地局からＵＥで受信される半静的なアサインメントデータ（semi-static assignment data）に基づいて、半静的に、またはＵＥが動的に特定の形式を選択し得るかのどちらかで選択され得る。１つの例では、ＵＥは、選択するための適切なＰＵＣＣＨ形式を動的に決定するためにＵＣＩビットの数（Ｋ）と、１つ以上のしきい値を比較し得る。例示的なオペレーションでは、１０個のＰＲＢｓ（Ｍ＝１０）のアサインメントを仮定すると、１＜＝Ｋ＜＝１０の場合、ＵＥは、各ＲＢｓまたは様々なＲＢｓにおいてＰＵＣＣＨ形式１ａを選択し得る。１０＜Ｋ＜＝２０の場合、ＵＥは、各ＲＢｓまたは様々なＲＢｓにおいてＰＵＣＣＨ形式１ｂを選択し得る。２０＜Ｋ＜＝１１０の場合、ＵＥは、各ＲＢｓまたは様々なＲＢｓにおいてＰＵＣＣＨ形式２を選択し得る。そうでなければ、ＵＣＩビットの数、Ｋが、ある特定の量を越えてしきい値のいずれかを上回る場合、ＵＥは、適切な形式を選択する前に、ＵＣＩビットのいくつかをドロップする（drop）ことを選択し得る。
【００５８】
[0068]  図７Ａおよび７Ｂは、本開示の態様のために構成される例示的な送信設計を例示するブロック図である。サブフレーム７０は、２個のスロット、スロット７００および７０１に分けられる。第１の態様にしたがって設計は、ホッピングなしでサブフレーム７０の中のスロット７００および７０１に及ぶように各ＰＵＣＣＨ送信のために提供する。例示されるように、スロット７００の中のＰＵＣＣＨ送信は、ｍ＝０で始まり、ｍ＝Ｍ−１までである。スロット７０１にわたる送信はまた、ｍ＝０で始まり、ｍ＝Ｍ＝２までであり、よって、ホッピングなしで提供される。サブフレーム７１のＰＵＣＣＨ送信設計は、スロット７０２および７０３にわたってホッピングを例示する。スロット７０２における送信は、ｍ＝０で始まりｍ＝Ｍ−１までであり、Ｍ個の割り当てられたＰＲＢｓを介する送信を示す。サブフレーム７１の中でイネーブルされたホッピングで、スロット７０３の送信は、ｍ＝Ｍ−１で始まり、ｍ＝０までである。どのようにＵＣＩが送信されるかに依存して、サブフレーム７０のＰＵＣＣＨ送信設計は、より多くの周波数ダイバーシティゲイン（frequency diversity gain）を有し得る。
【００５９】
[0069]  アンライセンスドスペクトルを持つＬＴＥ／ＬＴＥ−Ａシステムの中のＰＵＣＣＨ送信のために割り当てられたＰＲＢｓの増加した数で、総計のＵＣＩのペイロードのサイズ、Ｋは、ＰＵＣＣＨチャネル、Ｎ、の増加した総計の容量（increased total capacity）に符号化され得る。図８Ａおよび８Ｂは、本開示の１つの態様にしたがって構成される符号化方式（encoding scheme）を例示するブロック図である。Ｋ個の情報ビット８００は、８０１で、Ｎ個のコード化ビット（coding bits）に符号化される。Ｎ個のコード化ビットは次に、８０２で、選択されたＰＵＣＣＨ形式に依存して、適切なロケーションにマッピングされ得る。
【００６０】
[0070]  図８Ｂは、ＰＵＣＣＨ送信が、ＰＵＣＣＨ形式１ｂに基づく例示の態様を例示する。ＰＵＣＣＨ形式１ｂで、容量Ｎは、２ビットである。したがって、巡回冗長チェック（cyclic redundancy check）（ＣＲＣ）ビット、Ｑは、より良いＡＣＫ／ＮＡＫの検出のためにＫ個の情報ビットに追加される。ゆえに、Ｋ＋Ｑビット８０３は、８０４で、ＰＵＣＣＨ形式１ｂの２コード化ビット容量（2 coding bits）に符号化される。ＰＵＣＣＨ形式１ｂのための２コード化ビットのマッピング８０５は、各ＲＢが、コード化されたビットのうちの２個を搬送するようにマッピングされるべき２コード化ビットの各々を提供する。
【００６１】
[0071]  各ＰＵＣＣＨチャネルは、Ｍ＊Ｃビットまで搬送することができ、この場合、Ｍは、ＰＵＣＣＨチャネルのためのＰＲＢｓの数であり、Ｃは、ＲＢごとの容量である。例として、Ｍ＝１０個の割り当てられたＰＲＢｓを考慮して、ＰＵＣＣＨ形式１／１ａは、１０ビットの容量を生じさせることができ、ＰＵＣＣＨ形式１ｂは、２０ビットの容量を生じさせ得る。さらなるリソースはまた、ＰＵＣＣＨ送信のために割り当てられ得る。ゆえに、各ＲＢ内の２つ以上のＰＵＣＣＨ形式１ｂは、２０＊Ｌビットの総計の容量を生じさせ得る。この場合、Ｌは、各ＰＲＢの中の割り当てられたリソースの数である。例えば、ＵＥは、各ＲＢの中でＬ＝２個のＰＵＣＣＨ形式１ｂリソースを使用し得る。２個のリソースは、互いに近接し得る、またはいくつかギャップ（例えば、ＲＢを持つマックスギャップ（max gap with the RB））を持ち得る。同様に、総計の容量は、これらのパラメータのもと、ＰＵＣＣＨ形式２／２ａ／２ｂのために、少なくとも１１０ビットを生じさせることができ、ＰＵＣＣＨ形式３のために、少なくとも２１０ビットを生じさせ得る。
【００６２】
[0072]  ＬＴＥ−Ｕの態様のための多重化容量は、ＲＢベースごと（per RB basis）にＬＴＥと同じであり得る。ゆえに、各ＲＢのために、ＰＵＣＣＨ形式１／１ａ／１ｂが使用される場合、３６または３６／Ｌ個のＰＵＣＣＨチャネルまでが、多重化され得る。ＰＵＣＣＨ形式１／１ａ／１ｂで、各割り当てられた追加のリソース、Ｌが、最大多重化容量（maximum multiplexing capacity）を低減することとなることは、留意されるべきである。ＰＵＣＣＨ形式２／２ａ／２ｂを使用するとき、１２個のＰＵＣＣＨチャネルまでが、多重化され得る。一方、ＰＵＣＣＨ形式３で、５個のＰＵＣＣＨチャネルまでが、多重化され得る。
【００６３】
[0073]  追加の干渉を持つシナリオでは、サブフレームの中の２個のスロットの各スロットの中に自己復号可能なＰＵＣＣＨ設計（self-decodable PUCCH design）を有することが望ましくあり得る。ゆえに、全体のＰＵＣＣＨ送信は、たとえ第１のスロットだけが受信されたとしても、復号可能であることとなる。この自己復号は、より良い干渉処理（better interference handling）（２次干渉ダイバーシティ（order-2 interference diversity））を提供する。現在のＰＵＣＣＨ形式で、ＰＵＣＣＨ形式１／１ａ／１ｂのみが、そのような自己復号プロパティを有する。ゆえに、ＰＲＢのペアごとの１つのリソースか、またはＰＵＣＣＨ形式１／１ａ／１ｂベースの送信のためのＲＢごとの２つ以上のリソース（Ｌ）のどちらかが、２ＭＬビットまでの容量を提供し、この場合、Ｍは、ＲＢｓの数である。そのような態様では、既存のＬＴＥ  ＰＵＣＣＨ形式を使用するとき、インプリメンテーションは、ＰＵＣＣＨ形式２／２ａ／２ｂ／３ベースのアンライセンスドスペクトルを持つＬＴＥ  ＰＵＣＣＨ設計を使用することを控えることとなる。
【００６４】
[0074]  アンライセンスドスペクトルを持つＬＴＥ  ＰＵＣＣＨ設計のためのＰＵＣＣＨ電力制御は、Ｍの値（割り当てられたＰＲＢｓ）とＫの値（ＵＣＩビットの総数）の両方に基づいて決定され得る。ＰＵＣＣＨ電力制御を適用する際に、同等の電力が、ＵＥによってすべてのＭ個のＰＲＢｓのために使用され得る。
【００６５】
[0075]  ＬＴＥは、ＰＵＣＣＨオペレーションのための複数の干渉ランダム化（セル内の＆セル間の）特徴（a number of interference randomization (intra-cell & inter-cell) features）を利用し、それは、アンライセンスドスペクトルを持つＬＴＥ  ＰＵＣＣＨ設計のために再使用もされ得る。具体的には、追加のセル内の干渉ランダム化は、ＰＵＣＣＨにアサインされたＭ個のＰＲＢｓ内で行われることができる。例えば、２個のＵＥｓがＭ個のＰＲＢｓのうちの１個のＲＢの中の近接サイクリックシフト（adjacent cyclic shifts）を有する場合、ランダム化は、２個のＵＥｓがＭ個のＰＲＢｓのうちの異なるＲＢの中の近接サイクリックシフトを有することとならないように、２個のＵＥｓ間のセル内の干渉が、ランダム化されることができるように、適用されることができる。この干渉ランダム化は、サイクリックシフトのためのランダム化機能、および／または（適用可能な場合）Ｍ個のＰＲＢｓにわたる直交カバー（orthogonal cover）を使用することによって適用され得る。セル間の干渉ランダム化のために、ＵＥは、異なるセル／オペレータの間でＰＵＣＣＨ  ＲＢｓをランダム化する／連動するためにＣＣＡロケーションおよび／またはセルＩＤおよび／またはＲＲＣ構成を使用し得る。
【００６６】
[0076]  ＬＴＥでは、ＰＵＣＣＨリソース決定の２つのタイプが、サポートされる：ＰＵＣＣＨに関するリソースがＲＲＣコマンドを通してＵＥに示される、明示的なリソース決定、およびＵＥがＰＤＣＣＨのスターティング制御チャネル要素（starting control channel element）（ＣＣＥ）（またはＥＰＤＣＣＨのスターティングエンハンストＣＣＥ（starting enhanced CCE）（ＥＣＣＥ））に基づいてＰＵＣＣＨリソースを決定する、暗黙的なリソース決定。
【００６７】
[0077]  本開示の様々な態様では、アンライセンスドスペクトルを持つＬＴＥ  ＰＵＣＣＨ設計は、リソースの決定への同じ明示的な、および暗黙的なアプローチを続け得る。リソース決定アプローチのタイプは、所与のＲＢ、ＵＣＩ情報タイプ、場合により、適用可能な場合、ＰＤＳＣＨ送信タイプの中の特定のＰＵＣＣＨ形式に基づいて選択され得る。例えば、ＡＣＫ／ＮＡＫ送信のみが存在し、ＰＤＳＣＨ送信と関連付けられるＥＰＤＣＣＨが存在する場合、ＵＥは、スターティングＥＣＣＥに基づいて暗黙的なリソース決定を使用するために選択し得る。
【００６８】
[0078]  ＵＥのために、Ｍ個のＰＲＢｓを持つ各ＲＢのためのＰＵＣＣＨリソースインデックスは、同じであり得る。代替として、ＰＵＣＣＨリソースインデックスは、とりわけＵＥのためのこれらのリソースインデックスの間のいくつかの所定の関係（some pre-determined relationship）が存在するとき、異なるＲＢｓによって異なり得る。
【００６９】
[0079]  増加したＰＵＣＣＨ容量のため、アンライセンスドスペクトルを持つＬＴＥ  ＰＵＣＣＨ設計は、少なくとも、できる限り、ＬＴＥ規則に基づいていくつかのＵＣＩｓをドロップする代わりに、１つのＰＵＣＣＨに、ＵＣＩｓのすべてを多重化することを考慮し得る。容量が無限でないこととなるため、ある特定のシナリオの中でいくつかのＵＣＩをドロップすることの可能性、または必要性がまだ存在し得る。
【００７０】
[0080]  ＵＣＩは、ＡＣＫ／ＮＡＫ、ＳＲ、およびＣＳＩフィードバックを含み得る。ＳＲのために、アンライセンスドスペクトルを持つＬＴＥ  ＰＵＣＣＨ設計は、ＵＬスケジューリングを促進する（expedite）ために、（バッファ状態報告（buffer status report）（ＢＳＲ）と似ている）ＳＲ情報のための１ビットより大きいことを考慮し得る。よって、ＵＬスケジューリングを示すためにＳＲを頼り、後で実際のＵＬスケジューリングの必要性を示すためにＢＳＲに頼る代わりに、追加のＳＲビットは、基地局に、ＵＬバッファの状態に関するより多くの情報を提供し得る。アンライセンスドスペクトルを持つＬＴＥ／ＬＴＥ−Ａ展開のためのＰＵＣＣＨ送信では、ＵＣＩの順番付け（ordering）は、前に決定され得る。１つの例では、送信の順番は、ＡＣＫ／ＮＡＫ情報であることが前に決定されることができ、次にＳＲがあり、それから次にＣＳＩがある。
【００７１】
[0081]  アンライセンスドスペクトルを持つＬＴＥ  ＰＵＣＣＨ設計はまた、スケジューリングされたＵＣＩｓのすべてのために実行され得る統合コード化（joint coding）も考慮し得る。さらなる態様では、ＵＥは、他のものを統合してコード化しながら、いくつかのＵＣＩｓを別々にコード化することも考慮し得る。例えば、アンライセンスドスペクトルを持つＬＴＥ  ＰＵＣＣＨ設計は、（類似のパフォーマンスターゲットのため）ＡＣＫ／ＮＡＫおよびＳＲを統合してコード化すること、ならびにＡＣＫ／ＮＡＫおよびＳＲとは異なるパフォーマンスターゲットを有するＣＳＩを別々にコード化することを提供し得る。
【００７２】
[0082]  コード化されたＵＣＩのマッピングでは、マッピングは、統合して、または別々に実行されもし得る。例えば、ＡＣＫ／ＮＡＫおよびＳＲは、Ｍ／２個のＲＢｓにマッピングされることができ、一方、ＣＳＩは、Ｍ個のＲＢｓのもう半分に別々にマッピングされ得る。
【００７３】
[0083]  アンライセンスドスペクトルを持つＬＴＥ／ＬＴＥ−Ａシステムはまた、キャリアアグリゲーション（ＣＡ）展開を含み得る。ＬＴＥ  ＣＡシステムでは、ＰＵＣＣＨは、その一次コンポーネントキャリア（ＰＣＣ）からＵＥによって送信され得る。ＬＴＥシステムのために、単一のＰＵＣＣＨが、ＰＣＣにおいて送信される。そのうえ、ＬＴＥデュアル接続性（LTE dual connectivity）（例えば、２つ以上のＣＣｓ間の理想的でないバックホール（non-ideal backhaul）を持つＬＴＥ）では、２つ以上のＰＵＣＣＨｓは、２つ以上の異なるＣＣｓからＵＥによって送信され得る。アンライセンスドスペクトルを持つＬＴＥ／ＬＴＥ−Ａでは、ＵＬ  ＣＣは、失敗したＣＣＡ（failed CCA）のため利用可能でない場合がある。固定のＰＣＣを有することは、ＵＥのためのＰＵＣＣＨの頻繁な利用不可能性（frequent unavailability）を暗に示すことができ、それは、ＨＡＲＱオペレーション、ＣＳＩフィードバック、ＳＲ送信等に影響を与えることとなる。したがって、本開示の様々な態様は、ＵＬ  ＣＣＡの成功／失敗に部分的に基づいてＰＵＣＣＨ  ＣＣを決定することに向けられる。ゆえに、成功したＣＣＡ  ＣＣｓの間で、ＵＥは、例えば、セル／ＣＣインデックスを構成されたＲＲＣ等、様々な定義済みのパラメータ（predefined parameters）に基づいてＰＵＣＣＨを送信するために１つを選ぶことができ、その場合、最低のセル／ＣＣインデックスが選ばれることとなる。
【００７４】
[0084]  図９Ａおよび９Ｂは、本開示の１つの態様をインプリメントするために実行される例示的なブロックを例示する機能ブロック図である。ブロック９００において、ＵＥは、アップリンク制御チャネル送信のためのリソースの割り当てを受信する。ブロック９０１において、ＵＥは、少なくとも１つの制御チャネル形式にしたがって１つ以上のアップリンク制御チャネルメッセージを生成し、１つ以上のアップリンク制御チャネルメッセージは、Ｋ個のＵＣＩビットを含む。ＵＥは、ブロック９０２において、複数のＣＣｓから送信ＣＣを選択し、送信ＣＣは、ＵＥによって検出されたクリアＣＣＡに基づいて選択される。ブロック９０３において、アップリンク制御チャネルメッセージを送信するためのＣＣを選択した後、ＵＥは、割り当てられたリソースを介して、１つ以上のアップリンク制御チャネルメッセージを基地局に送信する。
【００７５】
[0085]  基地局側で、ブロック９０４において、基地局は、基地局によってサーブされる各ＵＥのために構成される複数のＣＣｓのうちの１つ以上のクリアアップリンクＣＣｓを識別する。基地局は、ブロック９０５において、各ＵＥがアップリンク制御チャネルメッセージを送信することとなる１つ以上のクリアアップリンクＣＣｓのアップリンク制御ＣＣを決定する。基地局は次に、ブロック９０６において、ＵＥｓの各々からのアップリンク制御チャネルメッセージのためにアップリンク制御ＣＣをモニタリングする。
【００７６】
[0086]  例として、ＵＥは、アンライセンスドスペクトルを持つＬＴＥ／ＬＴＥ−Ａ通信システムにおける３個のＣＣｓのために構成され得る。図１０は、本開示の１つの態様にしたがって構成されるＵＥのために構成される、３個のＣＣｓ、ＣＣ０−ＣＣ１、を例示するブロック図である。ＵＥのためのＰＵＣＣＨ  ＣＣは、フレームの中のＣＣＡの成功があるか、または失敗があるかに依存して時間にわたって変わることができ、それは、１つまたは複数のＤＬのサブフレーム、１つまたは複数のスペシャルサブフレーム（special subframe(s)）、および１つまたは複数のＵＬのサブフレームから成り得る。フレームｎでは、ＣＣ２がＣＣＡチェックに失敗したが、ＣＣ０およびＣＣ１は、クリアＣＣＡｓに戻った。ＵＥは、フレームｎの中でＣＣ０およびＣＣ１の両方のＣＣインデックスを評価する。ＣＣ０のＣＣインデックスが、ＣＣ１のそれより低いため、ＵＥは、フレーム１００１の代わりに、フレーム１０００の中でＬＴＥ  ＰＵＣＣＨを送信することを選択する。
【００７７】
[0087]  フレームｎ＋１では、ＣＣＡチェックは、ＣＣ１のフレーム１００２およびＣＣ２のフレーム１００３に関してクリアであった。ＣＣインデックスを比較した後、ＵＥは、送信のためのＰＵＣＣＨ  ＣＣとしてＣＣ１のフレーム１００２を選択する。フレームｎ＋２において、ＣＣ２のフレーム１００４のみが、ＣＣＡチェックをパスする。そのようなものとして、ＵＥは、ＣＣ２のフレーム１００４においてＰＵＣＣＨを送信することを選択する。最後に、フレームｎ＋３において、ＣＣｓのすべて、ＣＣ０−ＣＣ２が、フレーム１００５−１００７においてＣＣＡチェックをパスする。ＣＣ０のフレーム１００５は、より低いインデックスであるため、ＵＥは、ＰＵＣＣＨを送信するためにＣＣ０のフレーム１００５を選択する。
【００７８】
[0088]  異なるＵＥｓが、異なるＣＣＡの結果および／または異なるＲＲＣ構成のため、同じフレームの中に異なるＰＵＣＣＨ  ＣＣｓをまだなお有し得ることは、留意されるべきである（例えば、セルインデックスは、ＵＥに特異的に構成される（UE-specifically configured）ことができる）。
【００７９】
[0089]  当業者は、情報および信号が多様な異なる技術および技法のいずれかを使用して表され得ることを理解するであろう。例えば、上記の説明の全体にわたって参照され得るデータ、命令、コマンド、情報、信号、ビット、シンボル、およびチップは、電圧、電流、電磁波、磁場または磁性粒子、光場または光粒子、あるいはそれらの任意の組み合わせによって表され得る。
【００８０】
[0090]  図６、９Ａ、および９Ｂの機能ブロックおよびモジュールは、プロセッサ、電子デバイス、ハードウェアデバイス、電子コンポーネント、論理回路、メモリ、ソフトウェアコード、ファームウェアコード等、またはそれらの任意の組み合わせを備え得る。
【００８１】
[0091]  当業者はさらに、本明細書における開示に関連して説明された様々な例示的な論理ブロック、モジュール、回路、およびアルゴリズムステップが電子ハードウェア、コンピュータソフトウェア、または両方の組み合わせとしてインプリメントされ得ることを認識するだろう。ハードウェアおよびソフトウェアのこの互換性を明確に例示するために、様々な例示的なコンポーネント、ブロック、モジュール、回路、およびステップが、一般的にそれらの機能性の観点から上述されてきた。そのような機能が、ハードウェアとしてインプリメントされるか、あるいはソフトウェアとしてインプリメントされるかは、特定のアプリケーションおよび全体のシステムに課せられる設計制約に依存する。当業者は、説明された機能性を各特定のアプリケーションに種々の方法でインプリメントし得るが、そのようなインプリメンテーションの決定（decisions）は、本開示の範囲からの逸脱を生じるものと解釈されるべきではない。当業者はまた、本明細書に説明されたコンポーネント、方法、あるいは相互作用の順番または組み合わせが、単に例にすぎないこと、および本開示の様々な態様のコンポーネント、方法、または相互作用が、本明細書に例示、説明されたそれら以外の方法で組み合わせ、または実行され得ることを容易に理解するであろう。
【００８２】
[0092]  本明細書における開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本明細書に説明された機能を遂行するように設計されたそれらの任意の組み合わせでインプリメントまたは実行され得る。汎用プロセッサは、マイクロプロセッサであり得るが、代替において、プロセッサは、任意の従来のプロセッサ、コントローラ、マイクロコントローラ、またはステートマシンであり得る。プロセッサはまた、例えば、ＤＳＰとマイクロプロセッサ、複数のマイクロプロセッサ、ＤＳＰコアと連結した１つ以上のマイクロプロセッサ、または任意の他のそのような構成の組み合わせのような、コンピューティングデバイスの組み合わせとしてインプリメントされ得る。
【００８３】
[0093]  本明細書における開示に関連して説明された方法またはアルゴリズムのステップは、ハードウェアで直接的に、プロセッサによって実行されるソフトウェアモジュールで、またはこれら２つの組み合わせで、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーブバルディスク、ＣＤ−ＲＯＭ、あるいは当技術分野において既知の記憶媒体の任意の他の形態の中に存在し得る。例示的な記憶媒体は、プロセッサが記憶媒体から情報を読み出し、記憶媒体に情報を書き込むことができるように、プロセッサに結合される。代替において、記憶媒体はプロセッサと一体化され得る。プロセッサおよび記憶媒体はＡＳＩＣの中に存在し得る。ＡＳＩＣは、ユーザ端末の中に存在し得る。代替において、プロセッサおよび記憶媒体は、ユーザ端末の中のディスクリートコンポーネントとして存在し得る。
【００８４】
[0094]  １つ以上の例示的な設計では、説明された機能は、ハードウェア、ソフトウェア、ファームウェア、またはそれらの任意の組み合わせでインプリメントされ得る。ソフトウェアでインプリメントされる場合、機能は、コンピュータ可読媒体上の１つ以上の命令またはコードとして、記憶され、またはコンピュータ可読媒体を介して送信され得る。コンピュータ可読媒体は、１つの場所から別の場所へのコンピュータプログラムの転送を容易にする任意の媒体を含むコンピュータ記憶媒体と通信媒体との両方を含む。コンピュータ可読記憶媒体は、汎用または専用コンピュータによってアクセスされることができる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令またはデータ構造の形で所望のプログラムコード手段を搬送または記憶するために使用されることができ、かつ、汎用または専用コンピュータ、あるいは汎用または専用プロセッサによってアクセスされることができる、任意の他の媒体を備えることができる。また、接続は、コンピュータ可読媒体と適切に称され得る。例えば、ソフトウェアがウェブサイト、サーバ、あるいは、同軸ケーブル、光ファイバーケーブル、ツイストペア、またはデジタル加入者線（ＤＳＬ）を使用して他の遠隔ソースから送信される場合、同軸ケーブル、光ファイバーケーブル、ツイストペア、またはＤＳＬは、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびｂｌｕ−ｒａｙ（登録商標）ディスクを含み、ここでディスク（disks）は通常、磁気的にデータを再生し、一方ディスク（discs）は、レーザーを用いて光学的にデータを再生する。上記の組み合わせはまた、コンピュータ可読媒体の範囲内に含まれるべきである。
【００８５】
[0095]  特許請求の範囲を含む、本明細書で使用される場合、「および／または」という用語は、２つ以上の項目のリストで使用されるとき、リストされた項目のうちのいずれか１つがそれ自体によって用いられることができること、あるいはリストされた項目のうちの２つ以上の任意の組み合わせが用いられることができることを意味する。例えば、構成が、コンポーネントＡ、Ｂ、および／またはＣを包含するものとして説明されている場合、この構成は、Ａだけ、Ｂだけ、Ｃだけ、ＡとＢの組み合わせ、ＡとＣの組み合わせ、ＢとＣの組み合わせ、またはＡ、Ｂ、およびＣの組み合わせを包含することができる。また、特許請求の範囲を含む、本明細書で使用される場合、「のうちの少なくとも１つ」で始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡとＢとＣ）を意味するように離接的なリスト（disjunctive list）を示す。
【００８６】
[0096]  本開示の先の説明は、あらゆる当業者が本開示を製造または使用することを可能にするために提供される。本開示への様々な変更は、当業者に容易に明らかとなり、本明細書において定義された包括的な原理は、本開示の趣旨または範囲から逸脱することなく他のバリエーションに適用され得る。ゆえに、本開示は、本明細書に説明された例および設計に限定されるように意図されず、本明細書に開示された原理および新規の特徴と一致する最も幅広い範囲が付与されるべきである。
以下に、本願出願の当初の特許請求の範囲に記載された発明を付記する。
［Ｃ１］
ワイヤレス通信の方法であって、
アップリンク制御チャネル送信のためのリソースの割り当てを、基地局からユーザ機器（ＵＥ）によって、受信することと、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定することと、
前記割り当てられたリソースを介して、ＵＣＩを前記基地局に、前記ＵＥによって、送信することと、
を備える、方法。
［Ｃ２］
ＵＣＩのペイロードの総計のサイズは、前記ＵＥのために構成される前記１つ以上のキャリアと関連付けられたＣＣＡ情報に少なくとも部分的に基づいて決定される、Ｃ１に記載の方法。
［Ｃ３］
前記割り当てられたリソースを介して、ＵＣＩを送信するための少なくとも１つの制御チャネル形式を決定することをさらに含む、Ｃ１に記載の方法。
［Ｃ４］
前記送信することは、
２つ以上の物理リソースブロック（ＰＲＢ）ｓにわたって２つ以上のアップリンク制御チャネルメッセージを並行して送信することを含む、Ｃ１に記載の方法。
［Ｃ５］
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
をさらに含む、Ｃ１に記載の方法。
［Ｃ６］  アップリンク制御チャネル送信のためのチャネル容量を、前記ＵＥによって、決定することと、ここにおいて、前記決定することは、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を含む、
をさらに含む、Ｃ１に記載の方法。
［Ｃ７］
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することをさらに含む、Ｃ１に記載の方法。
［Ｃ８］
前記アップリンク制御チャネルの送信のために電力レベルを決定すること、ここにおいて、前記決定することは、前記割り当てられたリソースのサイズ、および前記ＵＣＩのペイロードのサイズに基づき、前記送信することは、前記決定された電力制御にしたがって実行される、
をさらに含む、Ｃ１に記載の方法。
［Ｃ９］
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
をさらに含む、Ｃ１に記載の方法。
［Ｃ１０］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ９に記載の方法。
［Ｃ１１］
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
をさらに含む、Ｃ１に記載の方法。
［Ｃ１２］
２つ以上のアップリンク制御チャネルメッセージのためのいくつかのコード化ビットに、前記ＵＣＩビットのうちの１つ以上を統合してコード化すること、またはマッピングすることをさらに含む、Ｃ１に記載の方法。
［Ｃ１３］
２つ以上のアップリンク制御チャネルメッセージのためのいくつかのコード化ビットに、前記ＵＣＩビットのうちの１つ以上を別々にコード化すること、またはマッピングすることをさらに含む、Ｃ１に記載の方法。
［Ｃ１４］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ１に記載の方法。
［Ｃ１５］
前記１つ以上のＵＣＩビットは、前記ＵＥ上のアップリンクデータバッファのコンテンツと関連付けられる複数のＳＲビットを含む、Ｃ１４に記載の方法。
［Ｃ１６］
前記１つ以上のＵＣＩビットは、ＨＡＲＱ肯定応答情報、ＳＲ、およびＣＳＩのうちの１つ以上のための所定の順番にしたがって配置される、Ｃ１４に記載の方法。
［Ｃ１７］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、Ｃ１に記載の方法。
［Ｃ１８］
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
前記比較に基づいて前記複数の制御チャネル形式から前記制御チャネル形式を選択することと、
をさらに含む、Ｃ１７に記載の方法。
［Ｃ１９］
ワイヤレス通信の方法であって、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって、検出されたクリアＣＣＡに基づいて選択され、
前記割り当てられたリソースを介して、前記１つ以上のアップリンク制御チャネルメッセージを、前記基地局に、前記ＵＥによって、送信することと、
を備える、方法。
［Ｃ２０］
アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定すること、ここにおいて、前記１つ以上のアップリンク制御チャネルメッセージは、前記ＵＣＩのペイロードのＵＣＩビットを含む、
をさらに備える、Ｃ１９に記載の方法。
［Ｃ２１］
前記選択することは、
前記ＵＥと関連付けられた前記複数のＣＣｓ上でＣＣＡを実行することと、
前記複数のＣＣｓの１つ以上のクリアＣＣｓ上で前記クリアＣＣＡを検出することと、
所定の基準に基づいて、前記送信ＣＣを前記１つ以上のクリアＣＣｓから選択することと、
をさらに含む、Ｃ１９に記載の方法。
［Ｃ２２］
前記所定の基準は、
無線リソース制御（ＲＲＣ）構成と、
ＣＣインデックスと、
のうちの１つ以上を備える、Ｃ２１に記載の方法。
［Ｃ２３］
ワイヤレス通信の方法であって、
基地局によってサーブされる各ＵＥのために構成される複数のコンポーネントキャリア（ＣＣｓ）のうちの１つ以上のクリアアップリンクＣＣｓを、前記基地局によって、識別することと、
各ＵＥが、アップリンク制御チャネルメッセージを送信することとなる前記１つ以上のクリアアップリンクＣＣｓのアップリンク制御ＣＣを決定することと、
各ＵＥからの前記アップリンク制御チャネルメッセージのために前記アップリンク制御ＣＣをモニタリングすることと、
を備える、方法。
［Ｃ２４］
前記識別することは、
各ＵＥから送信されたチャネル使用ビーコン信号（ＣＵＢＳ）のために前記複数のＣＣｓをモニタリングすること、前記１つ以上のクリアアップリンクＣＣｓは、ＣＵＢＳを含む、
を含む、Ｃ２３に記載の方法。
［Ｃ２５］
前記識別することは、
前記１つ以上のクリアアップリンクＣＣｓ上でＣＵＢＳを検出することに応答して、前記１つ以上のクリアアップリンクＣＣｓ上で復調基準信号（ＤＭＲＳ）を検出することをさらに含む、Ｃ２４に記載の方法。
［Ｃ２６］
ワイヤレス通信のために構成される装置であって、
アップリンク制御チャネル送信のためのリソースの割り当てを、基地局からユーザ機器（ＵＥ）によって、受信するための手段と、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定するための手段と、
前記割り当てられたリソースを介して、ＵＣＩを前記基地局に、前記ＵＥによって、送信するための手段と、
を備える、装置。
［Ｃ２７］
ＵＣＩのペイロードの総計のサイズは、前記ＵＥのために構成される前記１つ以上のキャリアと関連付けられたＣＣＡ情報に少なくとも部分的に基づいて決定される、Ｃ２６に記載の装置。
［Ｃ２８］
前記割り当てられたリソースを介して、ＵＣＩを送信するための少なくとも１つの制御チャネル形式を決定するための手段をさらに含む、Ｃ２６に記載の装置。
［Ｃ２９］
送信するための前記手段は、
２つ以上の物理リソースブロック（ＰＲＢ）ｓにわたって２つ以上のアップリンク制御チャネルメッセージを並行して送信するための手段を含む、Ｃ２６に記載の装置。
［Ｃ３０］
前記少なくとも１つの制御チャネル形式、および前記割り当てられたリソースのサイズに基づいてコード化されるビットの数を決定するための手段と、
前記ＵＣＩビットを、送信のためにコード化されるビットの前記数にコード化するための手段と、
をさらに含む、Ｃ２６に記載の装置。
［Ｃ３１］
アップリンク制御チャネル送信のためのチャネル容量を、前記ＵＥによって、決定するための手段と、ここにおいて、決定するための前記手段は、
アップリンク制御チャネル送信のための２つ以上の物理リソースブロック（ＰＲＢｓ）を識別するための手段と、
前記少なくとも１つの制御チャネル形式のためのビット容量を決定するための手段と、ここにおいて、前記チャネル容量は、前記ビット容量によって乗算された前記２つ以上のＰＲＢｓにしたがって決定される、
を含む、
をさらに含む、Ｃ２６に記載の装置。
［Ｃ３２］
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化するための手段をさらに含む、Ｃ２６に記載の装置。
［Ｃ３３］
前記アップリンク制御チャネルの送信のために電力レベルを決定するための手段、ここにおいて、前記決定することは、前記割り当てられたリソースのサイズ、および前記ＵＣＩのペイロードのサイズに基づき、送信するための前記手段は、前記決定された電力制御にしたがって実行される、
をさらに含む、Ｃ２６に記載の装置。
［Ｃ３４］
２つ以上のＰＲＢｓのうちの第１のＰＲＢの中の２つ以上のアップリンク制御チャネルメッセージのうちの第１のものの送信のために、前記ＵＥによって、第１のリソースを識別するための手段と、
前記２つ以上のＰＲＢｓのうちの第２のＰＲＢの中の前記２つ以上のアップリンク制御チャネルメッセージのうちの第２のものの送信のために前記ＵＥによって、第２のリソースを識別するための手段と、ここにおいて、前記第２のリソースは、前記第１のリソースに基づいて決定される、
をさらに含む、Ｃ２６に記載の装置。
［Ｃ３５］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ３４に記載の装置。
［Ｃ３６］
前記ＵＣＩビットの中の１つ以上の衝突ＵＣＩタイプを検出するための手段と、
前記１つ以上の衝突ＵＣＩタイプのうちの１つ以上の、より低いランクのＵＣＩタイプを最大容量まで前記アップリンク制御チャネル送信に多重化するための手段と、ここにおいて、前記最大容量内で多重化されていない前記１つ以上の、より低いランクのＵＣＩタイプのうちの残りのものが、ドロップされる、
をさらに含む、Ｃ２６に記載の装置。
［Ｃ３７］
２つ以上のアップリンク制御チャネルメッセージのためのいくつかのコード化ビットに、前記ＵＣＩビットのうちの１つ以上を統合してコード化する、またはマッピングするための手段をさらに含む、Ｃ２６に記載の装置。
［Ｃ３８］
２つ以上のアップリンク制御チャネルメッセージのためのいくつかのコード化ビットに、前記ＵＣＩビットのうちの１つ以上を別々にコード化する、またはマッピングするための手段をさらに含む、Ｃ２６に記載の装置。
［Ｃ３９］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ２６に記載の装置。
［Ｃ４０］
前記１つ以上のＵＣＩビットは、前記ＵＥ上のアップリンクデータバッファのコンテンツと関連付けられる複数のＳＲビットを含む、Ｃ３９に記載の装置。
［Ｃ４１］
前記１つ以上のＵＣＩビットは、ＨＡＲＱ肯定応答情報、ＳＲ、およびＣＳＩのうちの１つ以上のための所定の順番にしたがって配置される、Ｃ３９に記載の装置。
［Ｃ４２］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、Ｃ２６に記載の装置。
［Ｃ４３］
前記少なくとも１つの制御チャネル形式は、前記ＵＥによって、動的に選択され、
前記複数の制御チャネル形式の各々のためのしきい値容量を決定するための手段と、
前記ＵＣＩのペイロードのサイズを前記しきい値容量と比較するための手段と、
比較するための前記手段に基づいて前記複数の制御チャネル形式から前記制御チャネル形式を選択するための手段と、
をさらに含む、Ｃ４２に記載の装置。
［Ｃ４４］
ワイヤレス通信のために構成される装置であって、
アップリンク制御チャネル送信のためのリソースの割り当てを、基地局からユーザ機器（ＵＥ）によって、受信するための手段と、
少なくとも１つの制御チャネル形式にしたがって１つ以上のアップリンク制御チャネルメッセージを、前記ＵＥによって、生成するための手段と、
複数のコンポーネントキャリア（ＣＣｓ）から、送信ＣＣを、前記ＵＥによって、選択するための手段と、ここにおいて、前記送信ＣＣは、前記ＵＥによって、検出されたクリアＣＣＡに基づいて選択され、
前記割り当てられたリソースを介して、前記１つ以上のアップリンク制御チャネルメッセージを、前記基地局に、前記ＵＥによって、送信するための手段と、
を備える、装置。
［Ｃ４５］
アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定するための手段、ここにおいて、前記１つ以上のアップリンク制御チャネルメッセージは、前記ＵＣＩのペイロードのＵＣＩビットを含む、
をさらに含む、Ｃ４４に記載の装置。
［Ｃ４６］
選択するための前記手段は、
前記ＵＥと関連付けられた前記複数のＣＣｓ上でＣＣＡを実行するための手段と、
前記複数のＣＣｓの１つ以上のクリアＣＣｓ上で前記クリアＣＣＡを検出するための手段と、
所定の基準に基づいて、前記送信ＣＣを前記１つ以上のクリアＣＣｓから選択するための手段と、
をさらに含む、Ｃ４４に記載の装置。
［Ｃ４７］
前記所定の基準は、
無線リソース制御（ＲＲＣ）構成と、
ＣＣインデックスと、
のうちの１つ以上を備える、Ｃ４６に記載の装置。
［Ｃ４８］
ワイヤレス通信のために構成される装置であって、
基地局によってサーブされる各ＵＥのために構成される複数のコンポーネントキャリア（ＣＣｓ）のうちの１つ以上のクリアアップリンクＣＣｓを、前記基地局によって、識別するための手段と、
各ＵＥが、アップリンク制御チャネルメッセージを送信することとなる前記１つ以上のクリアアップリンクＣＣｓのアップリンク制御ＣＣを決定するための手段と、
各ＵＥからの前記アップリンク制御チャネルメッセージのために前記アップリンク制御ＣＣをモニタリングするための手段と、
を備える、装置。
［Ｃ４９］
識別するための前記手段は、
各ＵＥから送信されたチャネル使用ビーコン信号（ＣＵＢＳ）のために前記複数のＣＣｓをモニタリングするための手段、前記１つ以上のクリアアップリンクＣＣｓは、ＣＵＢＳを含む、
を含む、Ｃ４８に記載の装置。
［Ｃ５０］
識別するための前記手段は、
前記１つ以上のクリアアップリンクＣＣｓ上でＣＵＢＳを検出することに応答して実行可能である、前記１つ以上のクリアアップリンクＣＣｓ上で復調基準信号（ＤＭＲＳ）を検出するための手段をさらに含む、Ｃ４９に記載の装置。
［Ｃ５１］
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定させるためのプログラムコードと、
前記コンピュータに、前記割り当てられたリソースを介して、ＵＣＩを前記基地局に、前記ＵＥによって、送信させるためのプログラムコードと、
を備える、非一時的なコンピュータ可読媒体。
［Ｃ５２］
ＵＣＩのペイロードの総計のサイズは、前記ＵＥのために構成される前記１つ以上のキャリアと関連付けられたＣＣＡ情報に少なくとも部分的に基づいて決定される、Ｃ５１に記載の非一時的なコンピュータ可読媒体。
［Ｃ５３］
前記コンピュータに、前記割り当てられたリソースを介して、ＵＣＩを送信するための少なくとも１つの制御チャネル形式を決定させるためのプログラムコードをさらに含む、Ｃ５１に記載の非一時的なコンピュータ可読媒体。
［Ｃ５４］
前記コンピュータに送信させるための前記プログラムコードは、
前記コンピュータに、２つ以上の物理リソースブロック（ＰＲＢ）ｓにわたって２つ以上のアップリンク制御チャネルメッセージを並行して送信させるためのプログラムコード  を含む、Ｃ５１に記載の非一時的なコンピュータ可読媒体。
［Ｃ５５］
前記コンピュータに、前記少なくとも１つの制御チャネル形式、および前記割り当てられたリソースのサイズに基づいてコード化されるビットの数を決定させるためのプログラムコードと、
前記コンピュータに、前記ＵＣＩビットを、送信のためにコード化されるビットの前記数にコード化させるためのプログラムコードと、
をさらに含む、Ｃ５１に記載の非一時的なコンピュータ可読媒体。
［Ｃ５６］
前記コンピュータに、アップリンク制御チャネル送信のためのチャネル容量を、前記ＵＥによって、決定させるためのプログラムコードと、ここにおいて、前記コンピュータに決定させるための前記プログラムコードは、
前記コンピュータに、アップリンク制御チャネル送信のための２つ以上の物理リソースブロック（ＰＲＢｓ）を識別させるためのプログラムコードと、
前記コンピュータに、前記少なくとも１つの制御チャネル形式のためのビット容量を決定させるためのプログラムコードと、ここにおいて、前記チャネル容量は、前記ビット容量によって乗算された前記２つ以上のＰＲＢｓにしたがって決定される、
を含む、
をさらに含む、Ｃ５１に記載の非一時的なコンピュータ可読媒体。
［Ｃ５７］
前記コンピュータに、２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化させるためのプログラムコードをさらに含む、Ｃ５１に記載の非一時的なコンピュータ可読媒体。
［Ｃ５８］
前記コンピュータに、前記アップリンク制御チャネルの送信のために電力レベルを決定させるためのプログラムコード、ここにおいて、前記コンピュータに決定させるための前記プログラムコードは、前記割り当てられたリソースのサイズ、および前記ＵＣＩのペイロードのサイズに基づき、前記コンピュータに送信させるための前記プログラムコードは、前記決定された電力制御にしたがって実行される、
をさらに含む、Ｃ５１に記載の非一時的なコンピュータ可読媒体。
［Ｃ５９］
前記コンピュータに、２つ以上のＰＲＢｓのうちの第１のＰＲＢの中の２つ以上のアップリンク制御チャネルメッセージのうちの第１のものの送信のために、前記ＵＥによって、第１のリソースを識別させるためのプログラムコードと、
前記コンピュータに、前記２つ以上のＰＲＢｓのうちの第２のＰＲＢの中の前記２つ以上のアップリンク制御チャネルメッセージのうちの第２のものの送信のために前記ＵＥによって、第２のリソースを識別させるためのプログラムコードと、ここにおいて、前記第２のリソースは、前記第１のリソースに基づいて決定される、
をさらに含む、Ｃ５１に記載の非一時的なコンピュータ可読媒体。
［Ｃ６０］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ５９に記載の非一時的なコンピュータ可読媒体。
［Ｃ６１］
前記コンピュータに、前記ＵＣＩビットの中の１つ以上の衝突ＵＣＩタイプを検出させるためのプログラムコードと、
前記コンピュータに、前記１つ以上の衝突ＵＣＩタイプのうちの１つ以上の、より低いランクのＵＣＩタイプを最大容量まで前記アップリンク制御チャネル送信に多重化させるためのプログラムコードと、ここにおいて、前記最大容量内で多重化されていない前記１つ以上の、より低いランクのＵＣＩタイプのうちの残りのものが、ドロップされる、
をさらに含む、Ｃ５１に記載の非一時的なコンピュータ可読媒体。
［Ｃ６２］
前記コンピュータに、２つ以上のアップリンク制御チャネルメッセージのためのいくつかのコード化ビットに、前記ＵＣＩビットのうちの１つ以上を統合してコード化させる、またはマッピングさせるためのプログラムコードをさらに含む、Ｃ５１に記載の非一時的なコンピュータ可読媒体。
［Ｃ６３］
前記コンピュータに、２つ以上のアップリンク制御チャネルメッセージのためのいくつかのコード化ビットに、前記ＵＣＩビットのうちの１つ以上を別々にコード化させる、またはマッピングさせるためのプログラムコードをさらに含む、Ｃ５１に記載の非一時的なコンピュータ可読媒体。
［Ｃ６４］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ５１に記載の非一時的なコンピュータ可読媒体。
［Ｃ６５］
前記１つ以上のＵＣＩビットは、前記ＵＥ上のアップリンクデータバッファのコンテンツと関連付けられる複数のＳＲビットを含む、Ｃ６４に記載の非一時的なコンピュータ可読媒体。
［Ｃ６６］
前記１つ以上のＵＣＩビットは、ＨＡＲＱ肯定応答情報、ＳＲ、およびＣＳＩのうちの１つ以上のための所定の順番にしたがって配置される、Ｃ６４に記載の非一時的なコンピュータ可読媒体。
［Ｃ６７］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、Ｃ５１に記載の非一時的なコンピュータ可読媒体。
［Ｃ６８］
前記少なくとも１つの制御チャネル形式は、前記ＵＥによって、動的に選択され、
前記コンピュータに、前記複数の制御チャネル形式の各々のためのしきい値容量を決定させるためのプログラムコードと、
前記コンピュータに、前記ＵＣＩのペイロードのサイズを前記しきい値容量と比較させるためのプログラムコードと、
前記コンピュータに比較させるための前記プログラムコードの結果に基づいて、前記コンピュータに、前記複数の制御チャネル形式から前記制御チャネル形式を選択させるためのプログラムコードと、
をさらに含む、Ｃ６７に記載の非一時的なコンピュータ可読媒体。
［Ｃ６９］
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、少なくとも１つの制御チャネル形式にしたがって１つ以上のアップリンク制御チャネルメッセージを、前記ＵＥによって、生成させるためのプログラムコードと、
前記コンピュータに、複数のコンポーネントキャリア（ＣＣｓ）から、送信ＣＣを、前記ＵＥによって、選択させるためのプログラムコードと、ここにおいて、前記送信ＣＣは、前記ＵＥによって検出されたクリアＣＣＡに基づいて選択され、
前記コンピュータに、前記割り当てられたリソースを介して、前記１つ以上のアップリンク制御チャネルメッセージを、前記基地局に、前記ＵＥによって、送信させるためのプログラムコードと、
を備える、非一時的なコンピュータ可読媒体。
［Ｃ７０］
前記コンピュータに、アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定させるためのプログラムコード、ここにおいて、前記１つ以上のアップリンク制御チャネルメッセージは、前記ＵＣＩのペイロードのＵＣＩビットを含む、
をさらに含む、Ｃ６９に記載の非一時的なコンピュータ可読媒体。
［Ｃ７１］
前記コンピュータに選択させるための前記プログラムコードは、
前記コンピュータに、前記ＵＥと関連付けられた前記複数のＣＣｓ上でＣＣＡを実行させるためのプログラムコードと、
前記コンピュータに、前記複数のＣＣｓの１つ以上のクリアＣＣｓ上で前記クリアＣＣＡを検出させるためのプログラムコードと、
前記コンピュータに、所定の基準に基づいて、前記送信ＣＣを前記１つ以上のクリアＣＣｓから選択させるためのプログラムコードと、
をさらに含む、Ｃ６９に記載の非一時的なコンピュータ可読媒体。
［Ｃ７２］
前記所定の基準は、
無線リソース制御（ＲＲＣ）構成と、
ＣＣインデックスと、
のうちの１つ以上を備える、Ｃ７１に記載の非一時的なコンピュータ可読媒体。
［Ｃ７３］
プログラムコードを記録した非一時的なコンピュータ可読媒体であって、前記プログラムコードは、
コンピュータに、基地局によってサーブされる各ＵＥのために構成される複数のコンポーネントキャリア（ＣＣｓ）のうちの１つ以上のクリアアップリンクＣＣｓを、前記基地局によって、識別させるためのプログラムコードと、
前記コンピュータに、各ＵＥが、アップリンク制御チャネルメッセージを送信することとなる前記１つ以上のクリアアップリンクＣＣｓのアップリンク制御ＣＣを決定させるためのプログラムコードと、
前記コンピュータに、各ＵＥからの前記アップリンク制御チャネルメッセージのために前記アップリンク制御ＣＣをモニタリングさせるためのプログラムコードと、
を備える、非一時的なコンピュータ可読媒体。
［Ｃ７４］
前記コンピュータに識別させるための前記プログラムコードは、
前記コンピュータに、各ＵＥから送信されたチャネル使用ビーコン信号（ＣＵＢＳ）のために前記複数のＣＣｓをモニタリングさせるためのプログラムコード、前記１つ以上のクリアアップリンクＣＣｓは、ＣＵＢＳを含む、
を含む、Ｃ７３に記載の非一時的なコンピュータ可読媒体。
［Ｃ７５］
前記コンピュータに識別させるための前記プログラムコードは、
前記１つ以上のクリアアップリンクＣＣｓ上でＣＵＢＳを検出することに応答して実行可能である、前記コンピュータに、前記１つ以上のクリアアップリンクＣＣｓ上で復調基準信号（ＤＭＲＳ）を検出させるためのプログラムコードをさらに含む、Ｃ７４に記載の非一時的なコンピュータ可読媒体。
［Ｃ７６］
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定することと、
前記割り当てられたリソースを介して、ＵＣＩを前記基地局に、前記ＵＥによって、送信することと、
を行うように構成され、
を備える、装置。
［Ｃ７７］
ＵＣＩのペイロードの総計のサイズは、前記ＵＥのために構成される前記１つ以上のキャリアと関連付けられたＣＣＡ情報に少なくとも部分的に基づいて決定される、Ｃ７６に記載の装置。
［Ｃ７８］
前記割り当てられたリソースを介して、ＵＣＩを送信するための少なくとも１つの制御チャネル形式を決定するための前記少なくとも１つのプロセッサの構成をさらに含む、Ｃ７６に記載の装置。
［Ｃ７９］
送信するための前記少なくとも１つのプロセッサの前記構成は、２つ以上の物理リソースブロック（ＰＲＢ）ｓにわたって２つ以上のアップリンク制御チャネルメッセージを並行して送信するための構成を含む、Ｃ７６に記載の装置。
［Ｃ８０］
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
を行う前記少なくとも１つのプロセッサの構成をさらに含む、Ｃ７６に記載の装置。
［Ｃ８１］
アップリンク制御チャネル送信のためのチャネル容量を、前記ＵＥによって、決定すること、ここにおいて、決定するための前記少なくとも１つのプロセッサの前記構成は、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を行う前記少なくとも１つのプロセッサの構成を含む、
を行う前記少なくとも１つのプロセッサの構成をさらに含む、Ｃ７６に記載の装置。
［Ｃ８２］
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することを行う前記少なくとも１つのプロセッサの構成をさらに含む、Ｃ７６に記載の装置。
［Ｃ８３］
前記アップリンク制御チャネルの送信のために電力レベルを決定することを行う前記少なくとも１つのプロセッサの構成、ここにおいて、決定することを行う前記少なくとも１つのプロセッサの前記構成は、前記割り当てられたリソースのサイズ、および前記ＵＣＩのペイロードのサイズに基づき、送信することを行う前記少なくとも１つのプロセッサの前記構成は、前記決定された電力制御にしたがって実行される、をさらに含む、Ｃ７６に記載の装置。
［Ｃ８４］
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
を行う前記少なくとも１つのプロセッサの構成をさらに含む、Ｃ７６に記載の装置。
［Ｃ８５］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ８４に記載の装置。
［Ｃ８６］
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
を行う前記少なくとも１つのプロセッサの構成をさらに含む、Ｃ７６に記載の装置。
［Ｃ８７］
２つ以上のアップリンク制御チャネルメッセージのためのいくつかのコード化ビットに、前記ＵＣＩビットのうちの１つ以上を統合してコード化する、またはマッピングすることを行う前記少なくとも１つのプロセッサの構成をさらに含む、Ｃ７６に記載の装置。
［Ｃ８８］
２つ以上のアップリンク制御チャネルメッセージのためのいくつかのコード化ビットに、前記ＵＣＩビットのうちの１つ以上を別々にコード化する、またはマッピングすることを行う前記少なくとも１つのプロセッサの構成をさらに含む、Ｃ７６に記載の装置。
［Ｃ８９］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ７６に記載の装置。
［Ｃ９０］
前記１つ以上のＵＣＩビットは、前記ＵＥ上のアップリンクデータバッファのコンテンツと関連付けられる複数のＳＲビットを含む、Ｃ８９に記載の装置。
［Ｃ９１］
前記１つ以上のＵＣＩビットは、ＨＡＲＱ肯定応答情報、ＳＲ、およびＣＳＩのうちの１つ以上のための所定の順番にしたがって配置される、Ｃ８９に記載の装置。
［Ｃ９２］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、Ｃ７６に記載の装置。
［Ｃ９３］
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
比較することを行う前記少なくとも１つのプロセッサの前記構成の結果に基づいて前記複数の制御チャネル形式から前記制御チャネル形式を選択することと、
を行う前記少なくとも１つのプロセッサの構成をさらに含む、Ｃ９２に記載の装置。
［Ｃ９４］
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって、検出されたクリアＣＣＡに基づいて選択され、
前記割り当てられたリソースを介して、前記１つ以上のアップリンク制御チャネルメッセージを、前記基地局に、前記ＵＥによって、送信することと、
を行うように構成され、
を備える、装置。
［Ｃ９５］
アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定することを行う前記少なくとも１つのプロセッサの構成、ここにおいて、前記１つ以上のアップリンク制御チャネルメッセージは、前記ＵＣＩのペイロードのＵＣＩビットを含む、をさらに含む、Ｃ９４に記載の装置。
［Ｃ９６］
選択することを行う前記少なくとも１つのプロセッサの前記構成は、
前記ＵＥと関連付けられた前記複数のＣＣｓ上でＣＣＡを実行することと、
前記複数のＣＣｓの１つ以上のクリアＣＣｓ上で前記クリアＣＣＡを検出することと、
所定の基準に基づいて、前記送信ＣＣを前記１つ以上のクリアＣＣｓから選択することと、
を行う前記少なくとも１つのプロセッサの構成をさらに含む、Ｃ９４に記載の装置。
［Ｃ９７］
前記所定の基準は、
無線リソース制御（ＲＲＣ）構成と、
ＣＣインデックスと、
のうちの１つ以上を備える、Ｃ９６に記載の装置。
［Ｃ９８］
ワイヤレス通信のために構成される装置であって、
少なくとも１つのプロセッサと、
前記少なくとも１つのプロセッサに結合されたメモリと、
ここにおいて、前記少なくとも１つのプロセッサは、
基地局によってサーブされる各ＵＥのために構成される複数のコンポーネントキャリア（ＣＣｓ）のうちの１つ以上のクリアアップリンクＣＣｓを、前記基地局によって、識別することと、
各ＵＥが、アップリンク制御チャネルメッセージを送信することとなる前記１つ以上のクリアアップリンクＣＣｓのアップリンク制御ＣＣを決定することと、
各ＵＥからの前記アップリンク制御チャネルメッセージのために前記アップリンク制御ＣＣをモニタリングすることと、
を行うように構成され、
を備える、装置。
［Ｃ９９］
識別することを行う前記少なくとも１つのプロセッサの前記構成は、各ＵＥから送信されたチャネル使用ビーコン信号（ＣＵＢＳ）のために前記複数のＣＣｓをモニタリングすることを行う前記少なくとも１つのプロセッサの構成を含む、前記１つ以上のクリアアップリンクＣＣｓは、ＣＵＢＳを含む、
を含む、Ｃ９８に記載の装置。
［Ｃ１００］
識別することを行う前記少なくとも１つのプロセッサの前記構成は、前記１つ以上のクリアアップリンクＣＣｓ上でＣＵＢＳを検出することに応答して実行可能である、前記１つ以上のクリアアップリンクＣＣｓ上で復調基準信号（ＤＭＲＳ）を検出するための構成をさらに含む、Ｃ９９に記載の装置。
【図１】
0006367321.tif 000002
【図２Ａ】
0006367321.tif 000003
【図２Ｂ】
0006367321.tif 000004
【図３】
0006367321.tif 000005
【図４】
0006367321.tif 000006
【図５】
0006367321.tif 000007
【図６】
0006367321.tif 000008
【図７Ａ】
0006367321.tif 000009
【図７Ｂ】
0006367321.tif 000010
【図８Ａ】
0006367321.tif 000011
【図８Ｂ】
0006367321.tif 000012
【図９Ａ】
0006367321.tif 000013
【図９Ｂ】
0006367321.tif 000014
【図１０】
0006367321.tif 000015